(57)【要約】      （修正有）【課題】緯糸にテープ状の扁平糸を用いて製織を行う片側レピア織機において、レピアヘッド自体の構成や扁平糸を把持するための把持動作が複雑化することの無い緯入れ装置を提供する。【解決手段】片側レピア織機において、給糸側で給糸体から供給された扁平糸の先端部を保持する保持装置を含むと共に上下方向においてレピアヘッドの経路を挟んで扁平糸を案内する糸案内機構であって、単独で又は前記レピアヘッドと協働で扁平糸を平面視において前記レピアヘッドの幅方向と平行な方向へ変位させる糸案内機構を備える。その緯入れ装置においては、緯入れに際し、前記糸案内機構によるレピアヘッドの幅方向への扁平糸の変位を伴って扁平糸がレピアヘッドの糸導入部に導入される。【選択図】図８
2019085682.tif 000002
【特許請求の範囲】
【請求項１】
緯糸にテープ状の扁平糸を用いて製織を行うレピア織機における緯入れ装置であって、待機位置が反給糸側に設定されたレピアヘッドが給糸側へ向けて前進すると共に給糸側で把持した前記扁平糸を後退しつつ緯入れする片側レピア形式の緯入れ装置において、
給糸側で給糸体から供給された前記扁平糸の先端部を保持する保持装置を含むと共に上下方向において前記レピアヘッドの走行経路を挟んで前記扁平糸を案内する糸案内機構であって、単独で又は前記レピアヘッドと協働で前記扁平糸を前記レピアヘッドの幅方向と平行な方向へ変位させる糸案内機構を備え、
前記レピアヘッドは、前記扁平糸が導入される糸導入部を先端部に有するヘッド本体と、前記糸導入部内で前記レピアヘッドの長手方向に変位可能に設けられた糸把持部材と、前記ヘッド本体内で前記長手方向に変位可能に設けられると共に前記糸把持部材に連結された被操作部材と、給糸側及び反給糸側に設けられたオープナと係合することによって操作されて前記被操作部材を前記長手方向に変位させる操作レバとを備え、
前記糸導入部は、前記幅方向における一方の側及び上下方向に開口するように平面視においてコ字状を為す前記ヘッド本体の内側面によって画定されており、
前記糸導入部を画定する前記内側面のうちの前記レピアヘッドの後退方向を向く前記内側面が前記扁平糸を把持するための一対の把持面のうちの一方の把持面として機能すると共に、前記糸把持部材における前記一方の把持面と対向する面が他方の把持面として機能し、
緯入れに際し、前記糸案内機構による前記幅方向への前記扁平糸の変位を伴って前記扁平糸が前記糸導入部に導入される
ことを特徴とするレピア織機における緯入れ装置。
【請求項２】
前記レピアヘッドは、前記操作レバが前記ヘッド本体に対し前記幅方向に揺動可能に設けられると共に、前記オープナとの係合による前記操作レバの揺動操作によって前記被操作部材が前記長手方向に変位されるように構成されており、
前記操作レバは、給糸側の前記オープナに係合する第１の係合部及び反給糸側の前記オープナに係合する第２の係合部を有し、対応する前記オープナに係合していない状態では前記第１の係合部及び前記第２の係合部が前記ヘッド本体から前記幅方向に突出すると共に対応する前記オープナに対し前記第１の係合部及び前記第２の係合部がその側面において係合するように構成されている
ことを特徴とする請求項１に記載のレピア織機における緯入れ装置。
【請求項３】
前記操作レバは、その揺動中心よりも一端側に前記第１の係合部を有すると共に他端側に前記第２の係合部を有しており、前記長手方向に関し前記第２の係合部が前記第１の係合部よりも前記後退方向側に位置すると共に、前記幅方向に関し前記第１の係合部が前記ヘッド本体に対する一方の側に突出し且つ前記第２の係合部が前記ヘッド本体に対する他方の側に突出するように構成されている
ことを特徴とする請求項２に記載のレピア織機における緯入れ装置。
【発明の詳細な説明】
【技術分野】
【０００１】
本発明は、緯糸にテープ状の扁平糸を用いて製織を行うレピア織機における緯入れ装置であって、待機位置が反給糸側に設定されたレピアヘッドが給糸側へ向けて前進すると共に給糸側で把持した前記扁平糸を後退しつつ緯入れする片側レピア形式の緯入れ装置に関する。
【背景技術】
【０００２】
テープ状の扁平糸を緯糸として用いた製織を可能とするために、緯入れ装置がそのような扁平糸を緯入れ可能に構成されたレピア織機が従来から知られている。なお、扁平糸を緯入れする場合、その扁平糸に捩れ等が発生しないように緯入れが行われる必要がある。そして、そのような緯入れを実現するための緯入れ装置として、下記の特許文献１に開示された緯入れ装置（以下、「従来装置」と言う。）がある。
【０００３】
その従来装置は、待機位置が反給糸側に設定されたレピアヘッドを給糸側へ向けて前進させると共に、そのレピアヘッドが給糸側で緯糸を把持することで、そのレピアヘッドの後退に伴って緯糸（扁平糸）が緯入れされる片側レピア形式の緯入れ装置である。因みに、そのような片側レピア形式の緯入れ装置を備えたレピア織機は、片側レピア織機とも言われる。
【０００４】
そして、その従来装置において、レピアヘッドは、その先端部において扁平糸を把持した状態で保持するための糸把持機構を備えている。また、その糸把持機構は、前記のように緯入れ時において扁平糸に捩れ等が発生しないようにするために、扁平糸の幅方向が水平方向及び（織機の）経糸方向と一致した状態で扁平糸を把持するように構成されている。なお、レピアヘッドは水平方向における経糸方向と直交する方向で進退運動するため、その長手方向はレピアヘッドの進退方向と一致している。また、レピアヘッドにおけるその長手方向と直交する方向（幅方向）は、扁平糸を把持した状態において、その扁平糸の幅方向と一致している。
【０００５】
その従来装置の糸把持機構について、より詳しくは、その糸把持機構は、前記長手方向において対向する一対の把持面間で扁平糸を把持するように構成されている。そのために、その把持機構は、それぞれの把持面を有する第１の把持部及び第２の把持部を備えている。また、その糸把持機構において、第１の把持部は、レピアヘッド内において前記長手方向に変位可能に設けられており、糸把持機構は、扁平糸の把持動作の際に第１の把持部が前記長手方向に変位駆動されるように構成されている。
【０００６】
また、従来装置では、給糸体（ボビン）から引き出された扁平糸は、経糸方向における所定の位置（レピアヘッドが進退運動する位置と一致する位置）であってレピアヘッドの進退方向におけるレピアヘッドの前進限付近において、その幅方向が水平方向及び経糸方向と一致した向きで、糸案内機構によって上下方向に（正確には、上下方向に関しレピアヘッドの走行経路よりも上方から斜め下方に向けて）案内されている。その上で、従来装置においては、その案内機構によって上下方向に案内された扁平糸の部分が、その向きを維持された状態で、前記のようにレピアヘッドの糸把持機構によって把持される。
【先行技術文献】
【特許文献】
【０００７】
【特許文献１】特開２０１２−０４６８３５号公報
【発明の概要】
【発明が解決しようとする課題】
【０００８】
ところで、扁平糸を一対の把持面間で把持するためには、当然ながら扁平糸をその把持面間に配置された状態とすることが必要である。そして、従来装置では、レピアヘッドが前記前進限まで移動した際に扁平糸が第１の把持部と第２の把持部との間に配置された状態とされる。但し、従来装置の場合、扁平糸が糸案内機構によって前述のような所定の位置で案内されている。そのため、従来装置は、レピアヘッドの前進に伴って扁平糸と第２の把持部とが干渉しないように、レピアヘッドが前記前進限に達する前に、第２の把持部が前記幅方向において扁平糸の存在範囲外まで揺動変位されるように構成されている。
【０００９】
より詳しくは、従来装置は、レピアヘッドが前記前進限に達する前に第１の把持部が前記長手方向における後方側（レピアヘッドの後退方向側）へ変位され、その第１の把持部の後方への変位に伴って第２の把持部が前記のように揺動変位するように構成されている。さらに、従来装置は、レピアヘッドが前記前進限に達して前記長手方向に関し扁平糸が第１の把持部と第２の把持部との間に配置された時点で第２の把持部が前記幅方向における元の位置に戻されるように揺動変位され、次いで、レピアヘッドの後退に伴って第１の把持部が前記長手方向における前方側へ変位されるように構成されている。そして、そのような第１、第２の把持部の変位により、従来装置においては、扁平糸が第１の把持部と第２の把持部とによって把持された状態となる。
【００１０】
このように、従来装置は、扁平糸を把持する部分を構成する第１の把持部及び第２の把持部について、扁平糸を把持する際に第１の把持部が前記長手方向に変位されると共に第２の把持部が前記幅方向に揺動変位される構成となっている。このように、従来装置は、その扁平糸の把持を実現するための構成が複雑であると共に、その把持のための動作も複雑である装置となっている。なお、そのレピア織機では、１秒間に複数回の割合で緯入れが行われ、レピアヘッドは、その緯入れ毎に織幅に亘る往復運動を行う。すなわち、レピアヘッドは、緯入れ毎に高速で進退運動するように駆動される。したがって、そのレピアヘッド上の構成が前記のように複雑であることは、そのレピアヘッドの高速での進退運動に悪影響を及ぼす原因に成りかねないため、好ましく無い。また、把持のための動作が複雑であることは、扁平糸の把持ミスを招く原因ともなる。
【００１１】
そこで、本発明は、前述のような扁平糸を緯入れするためのレピア織機における緯入れ装置に関し、レピアヘッド自体の構成や扁平糸を把持するための把持動作が複雑化することの無い緯入れ装置を提供することを目的とする。
【課題を解決するための手段】
【００１２】
前述のように、本発明は、緯糸にテープ状の扁平糸を用いて製織を行うレピア織機における緯入れ装置であって、待機位置が反給糸側に設定されたレピアヘッドが給糸側へ向けて前進すると共に給糸側で把持した扁平糸を後退しつつ緯入れする片側レピア形式の緯入れ装置を前提とする。その上で、本発明は、その前提とする前記緯入れ装置において、次のような特徴を有する。
【００１３】
前記緯入れ装置は、前記レピアヘッドに加え、給糸側で給糸体から供給された前記扁平糸の先端部を保持する保持装置を含むと共に上下方向において前記レピアヘッドの経路を挟んで前記扁平糸を案内する糸案内機構であって、単独で又は前記レピアヘッドと協働で前記扁平糸を平面視おいて前記レピアヘッドの幅方向と平行な方向へ変位させる糸案内機構を備える。また、前記レピアヘッドは、前記扁平糸が導入される糸導入部を先端部に有するヘッド本体と、前記糸導入部内で前記レピアヘッドの長手方向に変位可能に設けられた糸把持部材と、前記ヘッド本体内で前記長手方向に変位可能に設けられると共に前記糸把持部材に連結された被操作部材と、給糸側及び反給糸側でオープナと係合することによって操作されて前記被操作部材を前記長手方向に変位させる操作レバとを備える。さらに、前記ヘッド本体における前記糸導入部は、前記幅方向における一方の側及び上下方向に開口するように平面視においてコ字状を為す前記ヘッド本体の内側面によって画定されるかたちで形成されている。そして、その前記レピアヘッドにおいては、前記糸導入部を画定する前記内側面のうちの前記レピアヘッドの後退方向を向く前記内側面が前記扁平糸を把持するための一対の把持面のうちの一方の把持面として機能すると共に、前記糸把持部材における前記一方の把持面と対向する面が他方の把持面として機能する。その上で、前記緯入れ装置においては、緯入れに際し、前記糸案内機構による前記幅方向への前記扁平糸の変位を伴って前記扁平糸が前記糸導入部に導入される。
【００１４】
また、そのような本発明による緯入れ装置において、前記レピアヘッドを、前記操作レバが前記ヘッド本体に対し前記幅方向に揺動可能に設けられると共に、前記オープナとの係合による前記操作レバの揺動操作によって前記被操作部材を前記長手方向に変位されるように構成した上で、前記操作レバを、給糸側の前記オープナに係合する第１の係合部及び反給糸側の前記オープナに係合する第２の係合部を有し、前記第１の係合部及び第２の係合部が対応する前記オープナに係合していない状態で前記ヘッド本体から前記幅方向に突出すると共に対応する前記オープナとその側面において係合するように構成しても良い。
【００１５】
さらに、前記レピアヘッド及び前記操作レバがそのように構成された本発明による緯入れ装置において、前記操作レバを、その揺動中心よりも一端側に前記第１の係合部を有すると共に他端側に前記第２の係合部を有し、前記長手方向に関し前記第２の係合部が前記第１の係合部よりも前記後退方向側に位置すると共に、前記幅方向に関し前記第１の係合部が前記ヘッド本体に対する一方の側に突出し且つ前記第２の係合部が前記ヘッド本体に対する他方の側に突出するように構成しても良い。
【発明の効果】
【００１６】
本発明による緯入れ装置においては、そのレピアヘッドにおける扁平糸を把持する部分を構成する一対の把持部（把持面）について、ヘッド本体における糸導入部を画定する内側面のうちのレピアヘッドの後退方向を向く内側面が一対の把持面のうちの一方（一方の把持面）として機能する。したがって、その一方の把持面が形成されたヘッド本体の部分が、一対の把持部の一方（一方の把持部）に相当する。また、そのレピアヘッドにおいては、糸把持部材における前記一方の把持面と対向する面が一対の把持面の他方（他方の把持面）として機能する。したがって、その他方の把持面を有する糸把持部材が、一対の把持部の他方（他方の把持部）に相当する。その上で、そのレピアヘッドは、その一対の把持部のうちの前記他方の把持部のみが前記長手方向に変位されるように駆動される、言い換えれば、前記一方の把持部はレピアヘッドに対し相対的に変位しないヘッド本体の一部であるように構成されている。
【００１７】
したがって、そのレピアヘッド自体の構成は前述の従来装置の構成と比べて簡単なものとなっており、そのレピアヘッド自体の構成が、高速でのレピアヘッドの進退運動に悪影響を及ぼす可能性は低い。また、そのレピアヘッド自体では、扁平糸を把持するための動作は前記他方の把持部の変位のみであり、それは簡単な動作であるため、把持ミスが発生する可能性も低い。それらにより、本発明による緯入れ装置によれば、扁平糸の緯入れが安定して行われる。
【００１８】
また、本発明による緯入れ装置において、前記のような第１の係合部及び第２の係合部を有する操作レバがヘッド本体に対し前記幅方向に揺動可能に設けられると共に、その第１の係合部及び第２の係合部が側面において対応するオープナと係合することで操作レバが揺動変位されるようにレピアヘッドを構成すれば、レピアヘッドの一部とオープナとが係合することに伴って発生する経糸切れ等の問題を可及的に防止できる。
【００１９】
詳しくは、従来装置では、第１の把持部が摺動把持片に取り付けられると共に、その摺動把持片に対し上方へ突出するように操作突部が設けられている。さらに、従来装置は、給糸側において固定的に配置されると共に、レピアヘッドの前進に伴って操作突部と係合可能に設けられた押圧部（前記で言うオープナ）を有している。但し、従来装置では、その押圧部は、前記幅方向に関し、レピアヘッドが進退運動する位置と同じ位置に設けられている。その上で、従来装置は、レピアヘッドの前進に伴い、操作突部と押圧部とが係合すると共に押圧部によって操作突部が相対的に前記後方側へ押されることにより、前記のように第１の把持部を前記後方側へ変位させる構成となっている。
【００２０】
このように、従来装置は、レピアヘッドの前進に伴い、そのレピアヘッドに設けられた操作突部と給糸側に設けられた押圧部とが、レピアヘッドの進退方向において対向する面で衝突する構成となっている。そのため、従来装置においては、その衝突に伴い、その衝突によって発生する力が全て前記後方側へ向けた力（進行方向に対し逆向きの力）としてレピアヘッドに対し作用することとなる。なお、レピアヘッドを進退運動させる駆動部材が棒材である所謂棒レピアの場合には、そのような力がレピアヘッドに作用したとしても、緯入れに対する影響は少ない。しかし、レピアヘッドを進退運動させる駆動部材がバンド材（レピアバンド）である所謂バンドレピアの場合には、レピアヘッドにそのような力が作用する結果として、そのレピアヘッドが取り付けられたレピアバンドに座屈が生じ、それに伴ってレピアヘッドの姿勢の乱れ、レピアヘッドの暴れが生じる場合がある。そして、そのようにレピアヘッドの暴れが生じると、後退時（緯入れ時）にレピアヘッドが経糸に干渉してしまい、経糸切れが生じるといった問題が発生してしまう。
【００２１】
また、高速で走行するレピアヘッドがその一部において前記のように押圧部と正面において衝突することで、その衝撃によりレピアヘッドに破損が生じる虞がある、といった問題もある。
【００２２】
それに対し、本発明による緯入れ装置において、操作レバを前記のように構成すれば、各係合部におけるオープナと係合する面（係合面）のレピアヘッドの進退方向に対する角度を適宜に設定することで、操作レバとオープナとの係合に伴って操作レバ（レピアヘッド）に作用する力が前記幅方向の分力（操作レバを揺動させる力）とレピアヘッドの進行方向とは逆向きの分力とに分けられることとなる。それにより、レピアヘッド（ヘッド本体）に対し進行方向とは逆向きに作用する力は、前記のように構成された従来装置と比べて小さくなる。また、レピアヘッドが扁平糸を把持する位置（前記前進限）に達した時点でレピアヘッド（操作レバ）に向けてオープナが側方から変位するように緯入れ装置を構成すれば、レピアヘッドに対し進行方向とは逆向きに力が作用することを無くすことができる。したがって、そのように構成された本発明の緯入れ装置によれば、レピアヘッドの姿勢が乱れることに起因する経糸切れやレピアヘッドの破損を可及的に防止することができる。
【００２３】
また、本発明による緯入れ装置において、操作レバに関し、前記の第１の係合部が操作レバの揺動中心よりも一端側に位置すると共に第２の係合部が揺動中心よりも他端側に位置すると共に、第２の係合部が前記長手方向において第１の係合部よりも前記後退方向側に位置し、さらに、前記幅方向に関し第１の係合部がヘッド本体に対する一方の側に突出すると共に第２の係合部がヘッド本体に対する他方の側に突出するようにその操作レバを構成することで、製織された織物の反給糸側の織端から突出する緯糸端（房耳）の長さを短くすることができる。
【００２４】
詳しくは、反給糸側の房耳の長さは、緯入れ過程におけるレピアヘッドが反給糸側まで後退したときの、レピアヘッド（糸把持機構）が扁平糸の把持を解放する時点に左右される。すなわち、その把持の解放が早ければ房耳の長さが短くなり、遅ければ房耳の長さが長くなる。そして、その把持の解放は後退中（緯入れ中）のレピアヘッドにおける操作レバと反給糸側のオープナとの係合により行われる。したがって、房耳を短くしようとするためには、織幅方向に関し、反給糸側のオープナを織物の反給糸側の織端に対し出来るだけ近い位置に配置する必要がある。但し、織機においては、筬等を支持するスレーが織幅方向に関し織物の存在範囲を超えて存在しており、そのスレーが反給糸側の織端よりも織物に対する外側にまで延びている。そのため、オープナは、そのオープナもしくはオープナを支持する部分がスレーと干渉しないように、反給糸側の織端に対しスレーの存在範囲を超えて離間するように配置されている。
【００２５】
ところで、給糸側においては、その織端付近に扁平糸を切断するカッタ装置等が設けられる。そのため、給糸側のオープナ及び糸案内機構は、織幅方向に関しそのカッタ装置等の存在範囲よりも織物に対する外側に配置される。但し、糸案内機構の位置がカッタ装置から遠いほど、扁平糸におけるレピアヘッドによる把持位置よりも先端側の部分の長さが長くなってしまうため、糸案内機構は、出来るだけカッタ装置側に近付けて設けられる。そして、それに合せて給糸側のオープナの配置も決定される。
【００２６】
それらのことから、操作レバは、給糸側のオープナと係合する第１の係合部の位置がレピアヘッドの先端側により近い位置となるように構成される。その上で、例えばその第１の係合部が反給糸側においてもオープナと係合して操作レバが揺動操作される構成とすると、レピアヘッドの後退時において、前記のように位置する第１の係合部が反給糸側のオープナの位置に達するまで操作レバの揺動操作（前記した把持の解放）が行われないこととなる。そのため、その構成では、反給糸側の房耳が長くなってしまう。
【００２７】
それに対し、前記のように設けられた第２の係合部をも有するように操作レバを構成することで、レピアヘッドの後退時において、第１の係合部が反給糸側のオープナの位置に達するよりも前に扁平糸の把持を解放する操作が行われるため、反給糸側の房耳を短くすることができる。因みに、房耳が長いことは、緯糸として使用される扁平糸の過剰な消費を招いてしまう。そして、その扁平糸が炭素繊維を用いた糸である場合には、その糸自体が高価であるため、そのような過剰な消費は織物の製造コストの面で好ましく無い。それに対し、前記のように房耳を短くすることができれば、織物の製造コストを可及的に低減させることができる。
【図面の簡単な説明】
【００２８】
【図１】本発明による緯入れ装置の一実施形態におけるレピアヘッドを示す一部断面平面図。
【図２】本発明による緯入れ装置の一実施形態におけるレピアヘッドを示す斜視図。
【図３】本発明による緯入れ装置の一実施形態におけるレピアヘッドの把持機構の給糸側での開放操作を説明するための動作説明図。
【図４】本発明による緯入れ装置の一実施形態におけるレピアヘッドの把持機構の反給糸側での開放操作を説明するための動作説明図。
【図５】本発明による緯入れ装置の一実施形態における糸案内機構を含む給糸機構を示す正面図。
【図６】本発明による緯入れ装置の一実施形態における糸案内機構を含む給糸機構を示す正面図。
【図７】本発明による緯入れ装置の一実施形態における糸案内機構の保持装置を示す正面図。
【図８】本発明による緯入れ装置の一実施形態における糸案内機構を含む給糸機構の動作を説明するための動作説明図。
【図９】本発明による緯入れ装置の一実施形態における糸案内機構を含む給糸機構の動作を説明するための動作説明図。
【図１０】本発明による緯入れ装置が適用されるレピア織機の緯入れ装置周辺部分を概略的に示す平面図。
【図１１】本発明による緯入れ装置の他の実施形態におけるレピアヘッドを示す平面図。
【図１２】本発明による緯入れ装置の一実施形態におけるレピアヘッドの要部の他の実施形態を示す一部断面平面図。
【図１３】本発明による緯入れ装置の一実施形態におけるレピアヘッドの要部の他の実施形態を示す一部断面平面図。
【発明を実施するための形態】
【００２９】
以下、本発明によるレピア織機における緯入れ装置について、その一実施形態（実施例）を図１〜１０に基づいて説明する。
【００３０】
図１０は、本発明が前提とする片側レピア織機を概略的に示している。片側レピア織機は、単一のレピアヘッド１０を用いて緯入れを行うレピア織機である。そのレピアヘッド１０を含む緯入れ装置１は、本実施例では、レピアヘッド１０を進退運動させる駆動（進退駆動）に用いられる駆動部材としてバンド材（レピアバンド）が用いられる所謂バンドレピア式の緯入れ装置である。したがって、緯入れ装置１は、レピアヘッド１０に加え、そのレピアヘッド１０が取り付けられるレピアバンド２１、及び巻き掛けられたレピアバンド２１を進退駆動するように所定の角度範囲で正逆回転駆動されるバンドホイール２３を含む駆動装置を備えている。そして、その緯入れ装置１においては、バンドホイール２３が回転駆動されることにより、レピアバンド２１を介してレピアヘッド１０が進退駆動される。なお、図１０は、筬Ｒが最後退位置に位置する状態を示しており、図示のように、レピアヘッド１０がそのように進退駆動されて走行する走行位置は、織機の前後方向（経糸Ｔの延在方向）に関し、筬Ｒの最後退位置の近傍に設定されている。
【００３１】
また、緯入れ装置１は、緯入れ時においてレピアヘッド１０に対し緯糸Ｙを供給するための給糸機構２５を備えている。但し、本発明が対象とする緯糸Ｙは、テープ状に形成された扁平糸であって、例えば炭素繊維から成る糸である。その上で、緯入れ装置１は、緯入れ期間以外においてレピアヘッド１０が配置されるレピアヘッド１０の待機位置が、給糸機構２５が設けられる給糸側とは織幅方向に関し反対側の反給糸側に設定されるように、前記の駆動装置等が配置される構成となっている。
【００３２】
そして、緯入れ装置１においては、筬Ｒが最後退位置に位置する状態となっている緯入れ期間において、レピアヘッド１０が前進するように駆動され、レピアヘッド１０が経糸Ｔによって形成された開口内を給糸側へ向けて走行する。次いで、レピアヘッド１０が給糸側における給糸機構２５の位置に達するのに伴い、そのレピアヘッド１０に対し緯糸（扁平糸）Ｙが供給される。その後、レピアヘッド１０は、その供給された扁平糸Ｙを把持した状態となり、その状態で前記した待機位置へ向けて後退駆動される。それにより、扁平糸Ｙが経糸Ｔの開口内に挿入（緯入れ）された状態となり、その扁平糸Ｙが筬Ｒによって織前に筬打ちされることで織物が形成される。
【００３３】
図１、２に示すのは本発明に基づく本実施例におけるレピアヘッド１０である。レピアヘッド１０は、ヘッド本体１１を主体としており、そのヘッド本体１１が取付部材２７によってレピアバンド２１に固定されることで、レピアバンド２１に対し取り付けられた状態となっている。ヘッド本体１１は、薄板状のベース部１１ａと、最先端１１ｇに向けて収斂するように形成されたヘッド部１１ｂとを有する。そして、ヘッド本体１１は、そのベース部１１ａとヘッド部１１ｂとがレピアヘッド１０の長手方向において離間すると共に連結部１１ｃによって連結されるかたちで一体的に形成されている。
【００３４】
したがって、ヘッド本体１１は、ベース部１１ａとヘッド部１１ｂとの間の空間部であってレピアヘッド１０の幅方向（平面視において前記長手方向と直交する方向）における一方の側が連結部１１ｃによって閉塞された空間部１１ｄを有している。すなわち、ヘッド本体１１は、ヘッド部１１ｂのベース部１１ａ側を向く端面１１ｂ１、ベース部１１ａのヘッド部１１ｂ側を向く側面、及び連結部１１ｃのヘッド本体１１の内側を向く側面による３つの内側面によって画定される空間部１１ｄを、ヘッド部１１ｂを含む先端側の部分に有している。そして、その空間部１１ｄは、その先端側の部分において、前記幅方向における一方の側及び上下方向に開口しており、平面視においてコ字状の形を為している。その上で、その空間部１１ｄは、後述のように扁平糸Ｙが導入されるヘッド本体１１における糸導入部として機能する。
【００３５】
なお、ヘッド本体１１において、ヘッド部１１ｂは、前記幅方向及びレピアヘッド１０の厚さ（高さ）方向において最先端１１ｇに向けて収斂すると共に、最先端１１ｇが前記幅方向に関し中央よりも連結部１１ｃとは反対の側に位置するような形状に形成されている。また、ヘッド本体１１は、ベース部１１ａから立ち上がるように形成された側壁であって、ベース部１１ａにおける先端側（前記長手方向に関しヘッド部１１ｂ側）で前記幅方向に関し連結部１１ｃとは反対の側に形成された側壁１１ｅ、及びベース部１１ａにおける後端側（前記長手方向に関しヘッド部１１ｂ側とは反対の側、以下では単に「後端側」とも言う。）で前記幅方向に対向するように形成された一対の側壁１１ｆ、１１ｆを有している。そして、これらの側壁１１ｅ、１１ｆもベース部１１ａと一体的に形成されている。因みに、側壁１１ｆ、１１ｆはリブで連結されており、前記した取付部材２７は、その一対の側壁１１ｆ、１１ｆとリブとで囲まれた部分においてヘッド本体１１をレピアバンド２１に対し固定している。さらに、その一対の側壁１１ｆ、１１ｆの一方の外側面には、後述のように反給糸側においてレピアヘッド１０の位置を規制するためのガイド部１２が取り付けられている。
【００３６】
また、レピアヘッド１０は、ヘッド本体１１における糸導入部１１ｄに導入された扁平糸Ｙをヘッド部１１ｂと協働して把持するためのヤーンキャッチ１３を有している。そのヤーンキャッチ１３は、ヘッド本体１１内において、前記長手方向に変位可能に設けられる。そのため、レピアヘッド１０は、そのヤーンキャッチ１３の変位を案内するための案内体１４を有している。
【００３７】
その案内体１４は、ブロック状の部材で形成されており、ヤーンキャッチ１３の変位を案内するための矩形状の案内溝１４ａを有している。そして、案内体１４は、案内溝１４ａの延在方向を前記長手方向に一致させた向きで、ヘッド本体１１のベース部１１ａに対し複数のネジ部材で固定されている。
【００３８】
ヤーンキャッチ１３は、その案内体１４の案内溝１４ａに案内される部分である案内部１３ａを有している。その案内部１３ａは、板状に形成されている。また、その案内部１３ａは、その板厚方向に見て、矩形状を為すと共に、その長辺の方向である縦方向の寸法が短辺の方向である横方向の寸法と比べて十分に大きい形に形成されている。その上で、案内体１４における案内溝１４ａの溝幅は、ヤーンキャッチ１３の前記縦方向における変位を案内できるように、そのヤーンキャッチ１３における案内部１３ａの前記横方向の寸法と略同じ大きさに形成されている。
【００３９】
また、ヤーンキャッチ１３は、扁平糸Ｙを把持するための部分である把持部１３ｂ及びその把持のための付勢力を受ける受け部１３ｃを有し、その把持部１３ｂを案内部１３ａの前記縦方向における一端側に有すると共に、受け部１３ｃを案内部１３ａの他端側に有するように形成されている。そして、ヤーンキャッチ１３は、その案内部１３ａ、把持部１３ｂ及び受け部１３ｃが一体的に形成された部材となっている。
【００４０】
そのヤーンキャッチ１３について、受け部１３ｃは、前記板厚方向に見て、前記横方向に関し案内部１３ａよりも一方の側に突出するように形成されている。したがって、ヤーンキャッチ１３は、前記板厚方向に見て、案内部１３ａ及び受け部１３ｃの部分において略Ｌ字形を為している。さらに、受け部１３ｃは、前記板厚方向に関し、案内部１３ａよりも大きい寸法を有しており、一方の側において案内部１３ａと面一に形成されると共に他方の側が案内部１３ａから突出するように形成されている。
【００４１】
また、把持部１３ｂは、前記板厚方向に関し案内部１３ａと同じ寸法で、前記横方向に関し案内部１３ａから両側に突出するように形成されている。因みに、その把持部１３ｂは、前記縦方向における寸法が案内部１３ａの前記横方向の寸法と同じような大きさに形成されている。また、把持部１３ｂは、前記横方向の寸法が、ヘッド本体１１のヘッド部１１ｂにおける前記した糸導入部１１ｄを画定する内側面（端面１１ｂ１）の前記幅方向の寸法と略同じであるように形成されている。
【００４２】
さらに、ヤーンキャッチ１３は、案内部１３ａと受け部１３ｃとの間に形成された係合部分１３ｄを有している。より詳しくは、ヤーンキャッチ１３は、前記横方向における案内部１３ａの範囲内で、受け部１３ｃにおける前記板厚方向に関し案内部１３ａよりも突出する部分から案内部１３ａの側へ向けて突出するように形成された係合部分１３ｄを有している。また、その係合部分１３ｄは、その突出端が円弧面を為すように形成されている。そして、ヤーンキャッチ１３においては、その係合部分１３ｄも案内部１３ａ、受け部１３ｃと一体的に形成されている。
【００４３】
そして、そのヤーンキャッチ１３は、案内部１３ａが案内体１４における案内溝１４ａに遊嵌された状態とされることで、前記長手方向に変位可能な状態でヘッド本体１１内に設けられる。但し、そのように設けられた状態において、ヤーンキャッチ１３は、前記長手方向に関し把持部１３ｂが案内体１４よりもヘッド部１１ｂ側に位置すると共に、前記板厚方向に関し係合部分１３ｄが案内部１３ａよりもベース部１１ａ側に位置する向きとされる。また、ヤーンキャッチ１３は、そのように設けられた状態において、前記幅方向に関し、把持部１３ｂの位置がヘッド部１１ｂの端面１１ｂ１の位置と一致する（把持部１３ｂがヘッド部１１ｂの端面１１ｂ１と完全に対向する）ように配置されている。言い換えれば、案内体１４は、前記幅方向に関し、そのような位置でヤーンキャッチ１３の案内部１３ａを案内し得るように設けられている。
【００４４】
そのヤーンキャッチ１３の構成について、把持部１３ｂは、後述のようにヘッド本体１１のヘッド部１１ｂと協働で扁平糸Ｙを把持する部分として機能する。したがって、その把持部１３ｂが、本発明で言う糸把持部材に相当する。また、前記のようにＬ字形を為す案内部１３ａと受け部１３ｃとを組み合わせた部分が、ヘッド本体１１内で前記長手方向に変位可能に設けられると共に糸把持部材と連結される部分となっている。したがって、その案内部１３ａと受け部１３ｃとを組み合わせた部分が、本発明で言う被操作部材に相当する。すなわち、本実施例では、本発明で言う糸把持部材と被操作部材とが一体的に形成され、それらが単一の部材（ヤーンキャッチ１３）に含まれている。なお、前記した係合部分１３ｄは、被操作部材の一部となっている。
【００４５】
また、レピアヘッド１０は、前記のようにヘッド本体１１内に配置されたヤーンキャッチ１３を前記長手方向に関しヘッド本体１１のヘッド部１１ｂ側へ付勢するためのバネ部材を備えている。より詳しくは、ヘッド本体１１内には、前記長手方向に関し案内体１４よりも前記後端側に、案内体１４から離間した配置でバネ受け部材１５ｂがベース部１１ａ上に設けられている。なお、そのバネ受け部材１５ｂは、ヘッド本体１１における前記した一対の側壁１１ｆ、１１ｆの一方に対しネジ部材で固定されたホルダ１５ｃにより、ヘッド本体１１に対し取り付けられている。そして、ヘッド本体１１内において、そのバネ受け部材１５ｂと前記のように配置されたヤーンキャッチ１３における受け部１３ｃとの間に、圧縮バネ１５ａ（図示の例では２本）が配置されている。
【００４６】
その構成により、レピアヘッド１０においては、ヤーンキャッチ１３は、その受け部１３ｃにおいて圧縮バネ１５ａのバネ力を受け、ヘッド本体１１内でヘッド部１１ｂ側へ付勢された状態となる。したがって、レピアヘッド１０は、ヤーンキャッチ１３に対し前記後端側へ向けた力が作用しない限りは、ヤーンキャッチ１３の把持部１３ｂ（より詳しくは、把持部１３ｂにおけるヘッド部１１ｂを向く端面１３ｂ１）がヘッド部１１ｂの端面１１ｂ１に対し押接された状態（押接状態）となっている。
【００４７】
そして、そのレピアヘッド１０においては、そのように押接状態となるヤーンキャッチ１３の把持部１３ｂとヘッド本体１１のヘッド部１１ｂとにより、糸導入部１１ｄに導入された扁平糸Ｙが把持される。したがって、そのレピアヘッド１０においては、その把持部１３ｂとヘッド部１１ｂとで扁平糸Ｙを把持するための把持機構が構成され、把持部１３ｂの端面１３ｂ１とヘッド部１１ｂの端面１１ｂ１とが本発明で言う一対の把持面となる。すなわち、本実施例のレピアヘッド１０における一対の把持面については、ヤーンキャッチ１３における把持部１３ｂの端面１３ｂ１がその一方の把持面として機能し、ヘッド本体１１におけるヘッド部１１ｂの端面１１ｂ１がその他方の把持面として機能する。
【００４８】
因みに、図示の構成では、バネ受け部材１５ｂ及びヤーンキャッチ１３における受け部１３ｃには、その圧縮バネ１５ａの一部を受け入れる孔が形成されている。また、ヘッド部１１ｂは、前記のようにヤーンキャッチ１３における把持部１３ｂが押接された状態で、その把持部１３ｂにおける端面１３ｂ１側の一部を僅かに受け入れるように、その端面１１ｂ１に溝が形成されている。なお、そのヘッド部１１ｂにおける端面１１ｂ１は、ヘッド本体１１においては前記のようにベース部１１ａ側を向く面であるが、レピアヘッド１０の進退運動の方向で言えば後退方向を向く面である。すなわち、その端面１１ｂ１は、前述のように糸導入部１１ｄを画定する内側面の１つであってレピアヘッド１０の後退方向を向く内側面である。
【００４９】
さらに、レピアヘッド１０は、前記のような状態でヘッド本体１１内に設けられたヤーンキャッチ１３（被操作部材としての案内部１３ａ及び受け部１３ｃ）を前記長手方向に変位させるための操作レバ１７を備えている。なお、本発明が前提とする片側レピア織機も、一般的なレピア織機と同様に、レピアヘッド１０における把持機構を操作する（開放状態とする）ためのオープナを給糸側及び反給糸側に備えている（オープナの詳細については後述）。その上で、本実施例のレピアヘッド１０における操作レバ１７は、給糸側において把持機構を開放状態とする（ヤーンキャッチ１３（把持部１３ｂ）を変位させる）ために給糸側のオープナと係合する第１の係合部１７ａと、その第１の係合部１７ａとは別に、反給糸側において把持機構を開放状態とするために反給糸側のオープナと係合する第２の係合部１７ｂとを有している。その操作レバ１７について、詳しくは以下の通りである。
【００５０】
操作レバ１７は、ヘッド本体１１に対し前記幅方向に揺動可能に支持されるかたちでレピアヘッド１０において設けられる。そのため、操作レバ１７は、ヘッド本体１１のベース部１１ａに対し支持される部分である支持部１７ｃを有する。但し、その支持部１７ｃは、その厚さ方向に見て、概ね矩形状を為すと共にその矩形の一部を切り欠いたような形状（略矩形状）に形成されている。また、そのように略矩形状に形成された支持部１７ｃの長辺方向における寸法は、ベース部１１ａにおける操作レバ１７（支持部１７ｃ）を支持する部分の前記幅方向における寸法と略同じ大きさとなっている。
【００５１】
また、操作レバ１７は、前記のように第１の係合部１７ａ及び第２の係合部１７ｂを有している。その第１の係合部１７ａは、操作レバ１７をその厚さ方向に見て、前記長辺方向及びその前記長辺方向に対し直交する方向（短辺方向）に関し、前記長辺方向における支持部１７ｃの一端側の部分から前記短辺方向に延びるように形成されている。また、第２の係合部１７ｂは、操作レバ１７をその厚さ方向に見て、前記長辺方向における支持部１７ｃの他端側の部分から前記短辺方向であって第１の係合部１７ａとは反対側へ延びるように形成されている。したがって、操作レバ１７は、その平面視において全体として略Ｚ形を為している。但し、第１の係合部１７ａは、中間部において湾曲するような形状を為すと共に、その延在方向が支持部１７ｃに対しやや鈍角を為すように操作レバ１７において形成されている。また、第２の係合部１７ｂも、その延在方向が支持部１７ｃに対しやや鈍角を為すように操作レバ１７において形成されている。
【００５２】
そして、操作レバ１７は、前記長辺方向における支持部１７ｃの一端側において、ヘッド本体１１（ベース部１１ａ）に対し回動可能に支持されている。それにより、操作レバ１７は、ヘッド本体１１に対し前記幅方向に揺動可能に設けられた状態となっている。なお、操作レバ１７は、第１の係合部１７ａが支持部１７ｃに対しヘッド本体１１におけるヘッド部１１ｂ側に位置すると共に第２の係合部１７ｂが支持部１７ｃに対し前記後端側に位置するように、ヘッド本体１１に対し支持される。その結果として、レピアヘッド１０においては、操作レバ１７における第１の係合部１７ａと第２の係合部１７ｂとが前記長手方向に関し異なる位置に位置すると共に、第１の係合部１７ａに対し第２の係合部１７ｂが前記後端側（レピアヘッド１０が進退駆動される際の後退方向側）に位置することとなる。
【００５３】
また、そのベース部１１ａ上での操作レバ１７の支持位置（操作レバ１７の揺動中心）について、その支持位置は、前記長手方向に関しては、案内体１４よりも前記後端側における案内体１４の近傍に設定されている。また、その支持位置は、前記幅方向に関しては、操作レバ１７を前記長辺方向が前記幅方向に略一致する状態としたときに、支持部１７ｃの位置とベース部１１ａの位置とが略一致する（平面視において支持部１７ｃとベース部１１ａとがほぼ全体的に重複する）ような位置に設定されている。
【００５４】
また、ヘッド本体１１内におけるその操作レバ１７と前述のように配置されたヤーンキャッチ１３との位置関係について、その位置関係は、上下方向に関しては、ヤーンキャッチ１３における案内部１３ａよりも下方であって係合部分１３ｄと同じ高さに操作レバ１７が位置する関係となっている。また、その位置関係は、前記長手方向に関しては、ヤーンキャッチ１３の係合部分１３ｄが操作レバ１７の支持部１７ｃよりも前記後端側に位置する関係となっている。
【００５５】
そのような操作レバ１７の支持位置及び操作レバ１７とヤーンキャッチ１３との位置関係により、ヘッド部１１ｂ内においては、前記長手方向に関し、案内体１４とヤーンキャッチ１３の係合部分１３ｄとの間に操作レバ１７の支持部１７ｃが位置する状態となる。
【００５６】
因みに、操作レバ１７における支持部１７ｃは、前述のように矩形の一部を切り欠いたような形状に形成されており、具体的には、係合部分１３ｄと対向する側の部分であって前記長辺方向における係合部分１３ｄと対向する部分及びその周辺部分が略円弧状に若干切り欠かれた形状となっている。したがって、支持部１７ｃにおけるその部分の前記短辺方向の寸法は、それ以外の部分と比べ若干小さくなっている。
【００５７】
また、ヤーンキャッチ１３は、前述のように圧縮バネ１５ａによるヘッド部１１ｂ側へ向けた付勢力を受けており、操作レバ１７が前記したオープナと係合していないレピアヘッド１０の通常の状態では、ヘッド本体１１のヘッド部１１ｂに対し把持部１３ｂにおいて押接された状態となっている。すなわち、その通常の状態では、ヤーンキャッチ１３は、その把持部１３ｂがヘッド部１１ｂに押接された前記長手方向における位置において、その位置が圧縮バネ１５ａ（前記付勢力）で保持された状態となっている。そして、それに伴い、係合部分１３ｄも、そのヤーンキャッチ１３の位置に応じた位置で、前記長手方向に関しその位置が前記付勢力によって保持された状態となっている。但し、その状態での係合部分１３ｄの前記長手方向における位置は、案内体１４に対し、前記した操作レバ１７における支持部１７ｃの切り欠かれた部分の前記短辺方向における寸法と略同じ（僅かに大きい）距離だけ離間した位置となっている。
【００５８】
したがって、前記のように回動可能に支持された操作レバ１７は、そのように前記長手方向における位置が前記付勢力によって保持された係合部１７ｄとヘッド本体１１（ベース部１１ａ）に対し固定配置された案内体１４とにより、その回動が規制された状態となっている。また、その状態では、操作レバ１７は、その支持部１７ｃにおける前記長辺方向が前記幅方向と略一致する状態となっている。それに伴い、前述のように操作レバ１７において支持部１７ｃに対しやや鈍角を為すように形成された第１の係合部１７ａ及び第２の係合部１７ｂは、その一部がヘッド本体１１（ベース部１１ａ）から前記幅方向に突出した状態となっている。
【００５９】
また、以上のように構成されたレピアヘッド１０において、ヘッド本体１１におけるベース部１１ａには、蓋部材１１ｈが取り付けられている。その蓋部材１１ｈは、前記長手方向における前記リブから糸導入部１１ｄまでの範囲において、ベース部１１ａ上に設けられた各部材を平面視において覆うように設けられている。したがって、レピアヘッド１０においては、前記した案内体１４、バネ受け部材１５ｂ及び圧縮バネ１５ａ、ヤーンキャッチ１３における案内部１３ａ及び受け部１３ｃ、並びに操作レバ１７の一部等は、上下方向におけるベース部１１ａと蓋部材１１ｈとの間の空間に配置された状態となっている。
【００６０】
次に、図３、４をも用い、前記した給糸側及び反給糸側での把持機構を開放状態とする（ヤーンキャッチ１３を変位させる）操作（以下、「開放操作」とも言う。）について説明する。
【００６１】
図３は、給糸側における前記開放操作を示している。但し、図３は、レピアヘッド１０が前述の待機位置から給糸側に向けて前進駆動されて経糸Ｔの開口内を走行した後の、そのレピアヘッド１０が最前進位置に達した状態を示している。また、その最前進位置は、図１で示した給糸側に設けられた給糸機構２５の位置に対応する位置となっている。また、レピアヘッド１０は、前記のように進退駆動されることに伴い、織幅方向と平行に走行する。すなわち、緯入れ装置１において、レピアヘッド１０は、その前記長手方向が織幅方向と一致する向きで進退駆動される。したがって、レピアヘッド１０の前記幅方向は、織機の前後方向（経糸Ｔの延在方向）と一致している。
【００６２】
給糸機構２５は、図示のような給糸側のオープナ３１を備えている。なお、そのオープナ３１は、上下方向及び織幅方向に関し、前記最前進位置に達した状態のレピアヘッド１０における操作レバ１７の第１の係合部１７ａと前記前後方向において対向し得る位置に設けられている。すなわち、オープナ３１は、上下方向に関し、織機上におけるレピアヘッド１０の操作レバ１７（第１の係合部１７ａ）の高さ位置と同じ高さ位置で、織幅方向に関し、前記最前進位置に達した状態のレピアヘッド１０における第１の係合部１７ａと位置が重複するように設けられている。但し、本実施例の緯入れ装置１においては、給糸側のオープナ３１は、前記最前進位置に達した状態のレピアヘッド１０における操作レバ１７に対し接近・離間するように設けられている。
【００６３】
具体的には、給糸機構２５は、オープナ３１を支持する支持レバ３３を含んでいる。その支持レバ３３は、適当な支持手段等によって織機のフレーム（図示略）に支持されるかたちで設けられている。また、その支持レバ３３は、自身の長手方向における略中間の位置に設定された支点３３ａを揺動中心として水平面内で揺動可能であるように設けられている。その上で、オープナ３１は、その支持レバ３３における支点３３ａに対する一端側の端部に取り付けられるかたちで設けられている。そして、オープナ３１は、そのように支持レバ３３に取り付けられた状態で、前記のようにレピアヘッド１０における操作レバ１７と前記前後方向において対向し得る、より詳しくは、レピアヘッド１０の走行位置側を向く側面において第１の係合部１７ａの側面（前記幅方向と交差する外側の面、以下、「第１の係合面」と言う。）１７ａ１と対向し得る、配置となっている。
【００６４】
また、支持レバ３３は、その始点３３ａに対する他端側の端部において、支持レバ３３を揺動駆動するための駆動機構（図示略）に対し連結されている。なお、その駆動機構による支持レバ３３の揺動駆動は、支持レバ３３に取り付けられたオープナ３１が、レピアヘッド１０における操作レバ１７の第１の係合部１７ａとの係合位置として設定された作用位置、及び前記前後方向に関し第１の係合部１７ａから離間した位置である不作用位置の２位置間で変位するように行われる。このように、オープナ３１は、揺動可能に設けられた支持レバ３３、及びその支持レバ３３を揺動駆動する駆動機構により、操作レバ１７（第１の係合部１７ａ）に対し接近・離間するように設けられている。但し、オープナ３１は、前記開放操作を行う時点以外は、前記不作用位置に位置する状態とされる。
【００６５】
緯入れにあたっては、レピアレッド１０が、前記のように前進駆動されて前記最前進位置に位置した状態（以下、「最前進状態」とも言う。）とされる。なお、レピアヘッド１０が前記最前進位置に達した時点では、図３（ａ）に示すように、オープナ３１は、前記不作用位置に位置した状態で、レピアヘッド１０における操作レバ１７の第１の係合部１７ａにおける第１の係合面１７ａ１に対向した状態となっている。その状態で前記駆動機構により支持レバ３３が揺動駆動される。それにより、オープナ３１は、前記不作用位置から前記作用位置へ向けて、すなわち、第１の係合部１７ａの方へ向けて、前記前後方向に変位（接近）し、第１の係合部１７ａにおける第１の係合面１７ａ１と係合した状態となる。そして、オープナ３１が前記作用位置まで変位されると、第１の係合部１７ａがオープナ３１によってレピアヘッド１０の内側へ向けて押され、操作レバ１７が図３における時計回り方向へ揺動する。その結果として、操作レバ１７は、図３（ｂ）に示すように、予め定められた量だけ揺動した状態となる。
【００６６】
なお、前記のようにオープナ３１が操作レバ１７に係合するのに伴い、レピアヘッド１０は、オープナ３１によって前記前後方向の力を受けることとなる。そこで、本実施例の給糸機構２５は、そのように力を受けることによってレピアヘッド１０が前記前後方向に変位するのを防止（規制）するための第１の規制部材３５を含んでいる。その第１の規制部材３５は、前記前後方向に関し、レピアヘッド１０に対するオープナ３１の側とは反対の側において、レピアヘッド１０の前記最前進状態でそのレピアヘッド１０の側部に近接するような位置に設けられている。また、その第１の規制部材３５は、織幅方向に関し、前記最前進状態のレピアヘッド１０におけるヘッド本体１１の側壁１１ｅと前記前後方向において対向する位置に設けられている。したがって、レピアヘッド１０がオープナ３１によって前記のような力を受けても、ヘッド本体１１の側壁１１ｅを介してその力が第１の規制部材３５に受けられるため、レピアヘッド１０の前記前後方向における変位がその第１の規制部材３５によって規制される。
【００６７】
オープナ３１と第１の係合部１７ａとの係合によって操作レバ１７が前記のように揺動されると、それに伴い、前述のようにその一端側においてヘッド本体１１に対し回動可能に支持されている操作レバ１７の支持部１７ｃは、その支持位置を中心として前記長手方向における前記後端側へ向けて回動する。それにより、前記長手方向に関し支持部１７ｃに近接した位置で支持部１７ｃと対向する係合部分１３ｄを含むヤーンキャッチ１３が、その係合部分１３ｄにおいて支持部１７ｃにより押され、圧縮バネ１５ａの付勢力に抗して前記後端側へ向けて変位する。その結果として、ヘッド本体１１におけるヘッド部１１ｂに対し押接された状態となっている把持部１３ｂが前記後端側へ向けて変位し、糸導入部１１ｄにおいてヘッド部１１ｂと糸把持部１３ｂとの間に空隙が形成された状態となる。すなわち、レピアヘッド１０における把持機構が開放された状態（前記開放操作が行われた状態）となる。
【００６８】
また、図４は、反給糸側における前記開放操作を示している。但し、図４において、（ａ）は、レピアヘッド１０が、前記最前進位置に位置する状態から前述の反給糸側の待機位置へ向けて後退駆動されて経糸Ｔの開口内を走行した後の、前記待機位置の直前に位置する状態を示している。また、（ｂ）は、レピアヘッド１０が、（ａ）の状態から更に後退駆動されて、前記待機位置に達した状態（前記待機位置に位置した状態、以下、「待機状態」とも言う。）を示している。
【００６９】
緯入れ装置１において、反給糸側の前記待機位置には、図示のような反給糸側のオープナ４１が固定的に設けられている。より詳しくは、緯入れ装置１は、反給糸側においてレピアバンド２１の走行を案内するバンドガイド２９を備えている。また、そのバンドガイド２９は、その反給糸側において、織機のフレームに対し固定的に設けられている。その上で、オープナ４１は、そのバンドガイド２９に取り付けられるかたちで設けられている。なお、オープナ４１は、平面視において略矩形状を為すと共に、その長さ寸法（矩形の長辺の方向における寸法）が幅寸法（矩形の短辺の方向における寸法）よりも十分に大きくされた形状を為すように形成されている。そして、そのオープナ４１は、その長辺の方向を織幅方向と一致させた向きで設けられている。
【００７０】
そのオープナ４１は、上下方向に関し、織機上でのレピアヘッド１０における操作レバ１７の第２の係合部１７ｂの高さ位置と同じ高さ位置に設けられている。さらに、オープナ４１は、前記前後方向に関し、その内側の側面（レピアヘッド１０の走行位置側の側面）４１ａがレピアヘッド１０におけるヘッド本体１１（側壁１１ｅ）に対し近接した位置に位置するように設けられている。
【００７１】
その上で、オープナ４１は、織幅方向に関し、前記のように後退駆動されるレピアヘッド１０が前記待機位置に達する前において操作レバ１７における第２の係合部１７ｂが達する位置に、その経糸Ｔの側の端面４１ｂが位置するように設けられている。
【００７２】
なお、図示のように本実施例では、レピアヘッド１０の前記待機状態で、その端面４１ｂは、織幅方向に関しレピアヘッド１０の最先端１１ｇと略同じ位置に位置している。さらに、オープナ４１は、前記待機状態のレピアヘッド１０における第２の係合部１７ｂの位置よりも後方（レピアヘッド１０の後退方向側）まで延在するような前記長さ寸法を有している。したがって、レピアヘッド１０の前記待機状態で、オープナ４１は、織幅方向に関し、レピアヘッド１０における最先端１１ｇから第２の係合部１７ｂよりも前記後端側の部分の存在範囲に亘って存在している。因みに、本実施例では、レピアヘッド１０とオープナ４１とは、織幅方向に関し、レピアヘッド１０が前記待機位置に位置した状態でそのレピアヘッド１０における第２の係合部１７ｂがオープナ４１の略中央部に位置するような位置関係となっている。
【００７３】
そして、そのようなオープナ４１の構成及び配置によれば、後退駆動されてレピアヘッド１０が反給糸側に達するのに伴い、レピアヘッド１０における操作レバ１７の第２の係合部１７ｂがその側面（前記幅方向と交差する外側の面、以下、「第２の係合面」と言う。）１７ｂ１においてオープナ４１（内側の側面４１ａ）と係合する。
【００７４】
また、オープナ４１において、その内側の側面４１ａは、経糸Ｔの側の部分が外側に向けて傾斜するように形成されている。すなわち、オープナ４１は、外側の側面がその全体に亘って平坦に形成されている上で、端面４１ｂの前記幅寸法が前記中央部の前記幅寸法よりも小さくなるように形成されている。さらに、そのオープナ４１における端面４１ｂの前記幅寸法は、後退駆動されるレピアヘッド１０における第２の係合部１７ｂがオープナ４１の位置に達した時点で、前述のようにそのレピアヘッド１０におけるヘッド本体１１から突出する第２の係合部１７ｂが端面４１ｂには衝突せずに内側の側面４１ａにおける傾斜面４１ａ’に係合するような大きさに設定されている。
【００７５】
それにより、後退過程におけるレピアヘッド１０は、第２の係合部１７ｂがオープナ４１の位置に達した時点で、図４（ａ）に示すように、その第２の係合部１７ｂがその第２の係合面１７ｂ１において、最初にオープナ４１の内側の側面４１ａにおける傾斜面４１ａ’（より詳しくは、傾斜面４１ａ’における端面４１ｂ側の部分）に対し係合した状態となる。その後、その最初に係合した時点からの更なるレピアヘッド１０の後退に従って第２の係合面１７ｂ１が傾斜面４１ａ’に沿って変位することに伴い、第２の係合部１７ｂ（第２の係合面１７ｂ１）と側面４１ａ（傾斜面４１ａ’）との係合点が、前記前後方向に関し、レピアヘッド１０のヘッド本体１１側へ変位する。すなわち、そのレピアヘッド１０の後退に伴い、レピアヘッド１０においては、操作レバ１７における第２の係合部１７ｂが前記幅方向に関しヘッド本体１１側へ変位する。このように、オープナ４１における傾斜面４１ａ’は、織幅方向におけるレピアヘッド１０との相対変位に伴って第２の係合部１７ａをヘッド本体１１側へ変位させるカム面として機能する。
【００７６】
そして、そのような第２の係合部１７ｂの変位に伴い、レピアヘッド１０においては、図４における時計回り方向へ操作レバ１７が揺動する。さらに、オープナ４１の内側の側面４１ａにおける（傾斜面４１ａ’を除く）平坦な部分に前記係合点が達する状態までレピアヘッド１０が後退すると、第２の係合部１７ｂは、図４（ｂ）に示すように、ほぼ全体がヘッド本体１１内（ベース部１１ａと蓋部材１１ｈとの間の空間）に入り込んだ状態となり、操作レバ１７は、予め定められた量だけ揺動した状態となる。そして、操作レバ１７がそのように揺動されることに伴い、前述した給糸側の場合と同様に、レピアヘッド１０における把持機構が開放された状態となる。
【００７７】
なお、レピアヘッド１０においては、ヤーンキャッチ１３の前記後端側へ向けた変位量（把持機構を開放する際のその開放量）は、操作レバ１７の揺動量に応じたものとなる。その上で、本実施例では、前記のような反給糸側でのオープナ４１と操作レバ１７（第２の係合部１７ｂ）との係合に伴う操作レバ１７の揺動量は、前述した給糸側でのオープナ３１と操作レバ１７（第１の係合部１７ａ）との係合に伴う操作レバ１７の揺動量よりも小さい量に設定されている。
【００７８】
また、反給糸側においても、操作レバ１７（第２の係合部１７ｂにおける第２の係合面１７ｂ１）がオープナ４１と係合したときにレピアヘッド１０に作用する前記前後方向の力によってレピアヘッド１０が前記前後方向に変位するのを規制する第２の規制部材４３が設けられている。その第２の規制部材４３は、オープナ４１と同じような形状の部材で構成されており、オープナ４１と前記前後方向において対向すると共に、織幅方向に関しオープナ４１と略同じ位置に配置されるかたちで設けられている。さらに、その第２の規制部材４３は、前記前後方向に関しては、その内側の側面（オープナ４１側を向く面）の位置がレピアヘッド１０におけるガイド部１２の前記幅方向における最も外側の側面（外側側面）の位置と略一致するように設けられている。
【００７９】
さらに、レピアヘッド１０においては、ガイド部１２は、前記外側側面が操作レバ１７における第２の係合部１７ｂよりも前記長手方向に関し前記後端側まで存在するように設けられている。したがって、レピアヘッド１０は、前記のように第２の係合部１７ｂがオープナ４１と係合する位置にまで後退すると、そのガイド部１２における前記外側側面において第２の規制部材４３の前記内側の側面に当接した状態となる。それにより、操作レバ１７（第２の係合部１７ｂ）がオープナ４１と係合することに伴い、前記のようにレピアヘッド１０に対し前記前後方向の力が作用したとしても、その力が第２の規制部材４３によって受けられるため、レピアヘッド１０の前記前後方向における変位がその第２の規制部材４３によって規制される。
【００８０】
因みに、第２の係合部１７ｂとオープナ４１との係合によって操作レバ１７が前記のように予め定められた量だけ揺動した状態では、前記幅方向に関し、第１の係合部１７ａは、その全てがガイド部１２の前記外側側面よりもレピアヘッド１０の内側に位置した状態となる。すなわち、レピアヘッド１０においては、ガイド部１２は、そのような状態と成り得るような大きさとなっている。また、前述のように、レピアヘッド１０においては、第２の係合部１７ｂは、前記長手方向に関し、第１の係合部１７ａよりも前記後端側に位置している。したがって、緯入れ装置１は、レピアヘッド１０が前記待機位置まで後退する過程において、第１の係合部１７ａが第２の規制部材４３と干渉しない構成となっている。
【００８１】
次に、図５〜図９に基づき、レピアヘッド１０の前記最前進状態で、そのレピアヘッド１０に対し緯糸としての扁平糸Ｙを供給する（レピアヘッド１０における糸導入部１１ｄに対し扁平糸Ｙを導入する）ための構成及びその作用について説明する。
【００８２】
給糸機構２５は、レピアヘッド１０における糸導入部１１ｄに対し扁平糸Ｙを導入するための糸案内機構５０を含んでいる。その糸案内機構５０は、給糸体を含む給糸手段（図示略）から供給される扁平糸Ｙを、織幅方向に関し、レピアヘッド１０が前記最前進状態となったときの糸導入部１１ｄの位置（以下、「給糸位置」とも言う。）において、上下方向に関し、レピアヘッド１０の走行経路（図５、６において一点鎖線Ｐで示す位置）の上方から下方に向けて（その走行経路Ｐを挟んで）扁平糸Ｙを案内するように構成されている。
【００８３】
より詳しくは、その糸案内機構５０は、走行経路Ｐの下方で扁平糸Ｙを保持する保持装置５１と、走行経路Ｐよりも上方で扁平糸Ｙを案内する案内部材５３と、保持装置５１へ向けて扁平糸Ｙを導く誘導装置５５と、保持装置５１を保持状態と非保持状態とに切り換える駆動手段としての流体圧シリンダ（例えば、エアシリンダ）５７とを含んでいる。
【００８４】
保持装置５１は、扁平糸Ｙを上方から受け入れてその扁平糸Ｙの先端部を保持する保持体を含んでいる。その保持体は、全体としてクリップ状の挟み具のように構成されており、扁平糸Ｙを保持する際の保持ベースとなるベース側の保持部材５１ａと、扁平糸Ｙを保持する際に回動操作される可動側の保持部材５１ｂとを含んでいる。その両保持部材５１ａ、５１ｂは、いずれも略角柱状に形成された基部５１ａ１、５１ｂ１を主体としており、その基部５１ａ１、５１ｂ１の長手方向における一端側に、保持部５１ａ２、５１ｂ２を有するように構成されている。
【００８５】
なお、各保持部材５１ａ、５１ｂにおいて、保持部５１ａ２、５１ｂ２は、各保持部材５１ａ、５１ｂの幅方向に関し、基部５１ａ１、５１ｂ１よりも大きい寸法を有しており、その中間部において基部５１ａ１、５１ｂ１に連続している。したがって、各保持部材５１ａ、５１ｂは、その厚さ方向に見てＴ字形に形成されている。その上で、両保持部材５１ａ、５１ｂは、それぞれの基部５１ａ１、５１ｂ１のその長手方向における略中間部に形成された取付部５１ａ３、５１ｂ３において、枢軸５１ｃによって相対的に回動可能に組み合わされている。但し、そのように連結された状態では、両保持部材５１ａ、５１ｂがその厚さ方向に対向し、また、基部５１ａ１、５１ｂ１の長手方向において両保持部５１ａ２、５１ｂ２の位置が一致している。
【００８６】
さらに、その保持体は、基部５１ａ１、５１ｂ１の長手方向に関し取付部５１ａ３、５１ｂ３に対する保持部５１ａ２、５１ｂ２側とは反対側の位置で、両基部５１ａ１、５１ｂ１の間に介装された圧縮バネ５１ｄ（図示の例では２つ）を備えている。そして、その保持体においては、その圧縮バネ５１ｄのバネ力により、両保持部材５１ａ、５１ｂにおける保持部５１ａ２、５１ｂ２が互いに押接されている。
【００８７】
その上で、保持装置５１は、その保持体（ベース側の保持部材５１ａ）を織機上で支持するための支持機構５１ｅを含んでいる。図７は、その支持機構５１ｅの一例を示している。図示のように、支持機構５１ｅは、ベース側の保持部材５１ａが取り付けられる支持プレート５１ｅ１を含んでいる。そして、ベース側の保持部材５１ａは、基部５１ａ１における可動側の保持部材５１ｂと対向する側面とは反対側の側面において、支持プレート５１ｅ１に対し取り付けられている。
【００８８】
さらに、支持機構５１ｅは、その支持プレート５１ｅ１を支持するブラケット５１ｅ３を含んでいる。なお、支持プレート５１ｅ１は、板材をＬ字形に屈曲させたかたちに形成されており、その屈曲部よりも一端側の部分における内側の面に対しベース側の保持部材５１ａが取り付けられるようになっている。また、ブラケット５１ｅ３は、細長い板状に形成されている。そして、支持プレート５１ｅ１は、その屈曲部よりも他端側の部分における外側の面において、ブラケット５１ｅ３に対し取り付けられている。但し、そのようにブラケット５１ｅ３に対し支持プレート５１ｅ１が取り付けられた状態で、ブラケット５１ｅ３の長手方向と支持プレート５１ｅ１に取り付けられた保持部材５１ａにおける基部５１ａ１の長手方向とが一致するように、保持部材５１ａは支持プレート５１ｅ１に対し取り付けられている。また、支持プレート５１ｅ１は、前記一端側の部分がブラケット５１ｅ３の長手方向において前記他端側の部分よりも延長された形状となっている。
【００８９】
さらに、支持機構５１ｅは、レール５１ｅ６と、そのレール５１ｅ６によって変位が案内されるブロック５１ｅ５とから成るＬＭガイドのような案内機構を含んでいる。また、そのレール５１ｅ６は、適当な支持手段等によって織機のフレームに対し支持されており、上下方向における走行経路Ｐの下方であって織幅方向における前記給糸位置において、前記前後方向に延在するように固定配置されている。その上で、前記のように支持プレート５１ｅ１が取り付けられたブラケット５１ｅ３は、その長手方向を上下方向に一致させる向きで、案内機構におけるブロック５１ｅ５上に取り付けられている。
【００９０】
それにより、前記のように支持プレート５１ｅ１に取り付けられたベース側の保持部材５１ａ及びその保持部材５１ａに組み合わされた可動側の保持部材５１ｂは、その基部５１ａ１、５１ｂ１の長手方向を上下方向に向けるかたちで支持機構５１ｅにより支持された状態で織機上に設けられることとなる。なお、支持機構５１ｅにおける案内機構において、ブロック５１ｅ５は、レール５１ｅ６の延在方向、すなわち前記前後方向には変位を許容されているが、それ以外の方向への変位は許容されていない。したがって、そのブロック５１ｅ５に対しブラケット５１ｅ３及び支持プレート５１ｅ１を介して支持されている保持部材５１ａ（保持部材５１ｂ）は、織幅方向に関しては配置が固定された状態となっている。
【００９１】
そして、そのように織機上に設けられた状態で、両保持部材５１ａ、５１ｂは、前記のように走行経路Ｐの下方に位置している。また、織機上での支持機構５１ｅ（レール５１ｅ６）の配置及び支持プレート５１ｅ１に取り付けられた状態でのベース側の保持部材５１ａとその支持機構５１ｅ（レール５１ｅ６）との位置関係により、前記のように織機上に設けられた状態での保持部材５１ａは、織幅方向に関しその保持部５１ａ２の可動側の保持部材５１ｂ側を向く面が前記給糸位置に位置するように配置される。したがって、前記のように両保持部材５１ａ、５１ｂにおける保持部５１ａ２、５１ｂ２が互いに押接された状態となることで形成されている保持装置５１における保持部分５１ｈも、織幅方向に関し前記給糸位置に位置する。そして、支持機構５１ｅが前記のような案内機構において織機のフレームに支持されていることから、両保持部材５１ａ、５１ｂは、織機上において前記前後方向に変位可能に設けられた状態となっている。
【００９２】
また、支持機構５１ｅは、その支持機構５１ｅを前記前後方向に変位させ、延いては両保持部材５１ａ、５１ｂを前記前後方向に変位させるための駆動機構（図示略）に連結されている。そのために、支持機構５１ｅは、連結部材５１ｅ７を含み、その連結部材５１ｅ７がブラケット５１ｅ３に取り付けられた構成となっている。その上で、支持機構５１ｅは、その連結部材５１ｅ７においてその駆動機構と連結されている。そして、支持機構５１ｅ（両保持部材５１ａ、５１ｂ）は、緯入れ期間中の所定のタイミングにおいて、その駆動機構により変位駆動される。
【００９３】
また、糸案内機構５０は、前記したように扁平糸Ｙを案内する案内部材５３も含んでおり、その案内部材５３も、支持機構５１ｅによって支持されている。詳しくは、その案内部材５３は、ロール状（軸状）の部材であり、取付プレート５３ａ及び支持アーム５３ｂを介して支持機構５１ｅにおける支持プレート５１ｅ１に支持されている。その取付プレート５３ａは、板材をＬ字形に屈曲させた部材であり、その屈曲部よりも一端側の部分において支持プレート５１ｅ１における前記一端側の部分における外側の面に取り付けられている。但し、その取付プレート５３ａは、そのように取り付けられた状態で、その屈曲部よりも他端側の部分が織機上において支持プレート５１ｅ１における前記他端側の部分の上方に位置するように支持プレート５１ｅ１に対し取り付けられている。
【００９４】
また、支持アーム５３ｂは、細長い板状の部材であり、織機上において取付プレート５３ａにおける前記他端側の部分から上方に向けて延びるようなかたちで、その長手方向における一端部において取付プレート５３ａに対し取り付けられている。その上で、案内部材５３は、その支持アーム５３ｂの他端部において片持ち支持されている。なお、そのように支持された状態で、案内部材５３は、上下方向に関し走行経路Ｐの上方に位置する。すなわち、支持アーム５３ｂは、案内部材５３をそのような位置に配置するような長さ寸法を有している。また、案内部材５３は、織幅方向に関しては、ベース側の保持部材５１ａの保持部５１ａ２よりも筬Ｒの側とは反対の側に配置された状態となっている。
【００９５】
このように、案内部材５３は、両保持部材５１ａ、５１ｂを支持する支持機構５１ｅによって支持されている。したがって、前記のように両保持部材５１ａ、５１ｂが前記前後方向に変位駆動されるのに伴い、案内部材５３も同じように前記前後方向に変位する。なお、その両保持部材５１ａ、５１ｂ及び案内部材５３の変位駆動は、前記前後方向に関し、レピアヘッド１０の走行位置と重複する位置である基準位置と、レピアヘッド１０の走行位置から織前側へ離間した退避位置との２位置間で行われる。そして、両保持部材５１ａ、５１ｂ及び案内部材５３は、通常は前記基準位置に配置される。また、両保持部材５１ａ、５１ｂ及び案内部材５３は、緯入れのためのレピアヘッド１０の前進駆動が開始されてからレピアヘッド１０が前記最前進位置に達するまでの間に前記退避位置に位置する状態とされ、レピアヘッド１０が前記最前進位置に達して糸導入部１１ｄに対し扁平糸Ｙが導入される際に前記基準位置へ向けて変位される。
【００９６】
また、糸案内機構５０は、前記したように、流体圧シリンダ５７も含んでいる。その流体圧シリンダ５７は、保持装置５１を保持状態と非保持状態とに切り換える装置、より詳しくは、前記した保持装置５１における保持部分５１ｈを、両保持部材５１ａ、５１ｂにおける保持部５１ａ２、５１ｂ２が互いに押接された状態である保持状態と、両保持部５１ａ２、５１ｂ２が離間してその保持部分５１ｈが開放された状態である非保持状態とに切り換える装置である。
【００９７】
その流体圧シリンダ５７は、適当な支持手段等により、織機のフレームに対し固定配置されている。また、その流体圧シリンダ５７は、前記前後方向に関し前記基準位置にある可動側の保持部材５１ｂの基部５１ｂ１に対し、そのピストンロッド５７ａの先端に取り付けられた押圧体５７ｂが織幅方向において対向するように設けられている。但し、その流体圧シリンダ５７は、上下方向に関しては、基部５１ｂ１のその長手方向における保持部５１ｂ２側とは反対側の端部（下端部）に対向するように設けられている。さらに、流体圧シリンダ５７は、織幅方向に関し、不作動状態（ピストンロッド５７ａが後退した状態）においてその押圧体５７ｂが保持部材５１ｂから離間すると共に、作動状態（ピストンロッド５７ａが進出した状態）において押圧体５７ｂが保持部材５１ｂの前記下端部を所定量だけ押すように設けられている。
【００９８】
したがって、流体圧シリンダ５７が作動状態とされることで、可動側の保持部材５１ｂは、その下端部が前記のように押されて圧縮バネ５１ｄのバネ力に抗して変位する結果として、両保持部材５１ａ、５１ｂを組み合わせている枢軸５１ｃを中心に、保持部５１ｂ２が保持部材５１ａから離間する方向へ回動する。それにより、ベース側の保持部材５１ａの保持部５１ａ１と可動側の保持部材５１ｂの保持部５１ｂ２とが、前記のように押接された状態（図５の状態）から離間した状態（図６の状態）となり、保持部分５１ｈが開放された状態となる。
【００９９】
また、糸案内機構５０は、前記したように、保持装置５１へ向けて扁平糸Ｙを導く誘導装置５５も含んでいる。その誘導装置５５は、図示のような、薄板を２箇所において略直角に屈曲させて形成された誘導板５５ａを有している。
【０１００】
その誘導板５５ａの配置について、誘導板５５ａは、織幅方向に関しては、その屈曲部よりも一端側（先端側）の部分である先端側部分が全体に亘って保持装置５１における保持部分５１ｈと略同じ位置に位置するように配置されている。また、誘導板５５ａは、前後方向に関しては、保持装置５１が前記基準位置に位置するときの保持部分５１ｈ（保持部５１ａ２、５１ｂ２）の位置と略同じ位置に位置するように配置されている。但し、その誘導板５５ａは、その先端側部分の先端縁（屈曲部側とは反対側の端縁）５５ａ１が最も下方で水平に延在するように設けられている。また、その誘導板５５ａの幅寸法（先端縁５５ａ１の延在方向における寸法）は、保持部材５１ａ、５１ｂの幅方向における保持部５１ａ２、５１ｂ２の寸法と略同じとなっている。
【０１０１】
そして、誘導板５５ａは、前記のような配置において、ブラケット５５ｂに取り付けられるかたちで支持されている。そのブラケット５５ｂは、保持装置５１（具体的には、ベース側の保持部材５１ａ）の上方において、織機上において上下方向に延在するように固定的に設けられた支持部分（図示略）に対し、例えば保持装置５１の支持機構５１ｅにおける案内機構と同様の案内機構（図示略）により、上下方向に変位可能に取り付けられている。したがって、誘導板５５ａは、織機上における前記した配置において、上下方向に変位可能に設けられている。
【０１０２】
その上で、ブラケット５５ｂは、誘導板５５ａを上下方向に変位させるための駆動機構（図示略）に連結されている。そして、誘導板５５ａは、その駆動機構により、上下方向に変位駆動される。なお、その変位駆動は、上下方向に関し、誘導板５５ａ（先端縁５５ａ１）が案内部材５３よりも上方に位置する上昇位置、及び誘導板５５ａの先端縁５５ａ１が保持装置５１における保持部材５１ａの保持部５１ａ２よりも下方に位置する下降位置の２位置間で誘導板５５ａが変位するように行われる。また、誘導板５５ａは、保持装置５１に対する扁平糸Ｙの誘導が行われる作動時以外の待機状態では前記上昇位置に配置され、その作動時において前記下降位置へ向けて変位駆動される。
【０１０３】
以上のように構成された緯入れ装置１の作用、特に糸案内機構５０の作用は、以下の通りである。
【０１０４】
図５は、緯入れが終了した時点の状態を示している。前記給糸手段（給糸体）から供給された扁平糸Ｙは、案内部材５３によって走行経路Ｐ側に転向され、反給糸側へ向けて織幅方向に引き出されている。緯入れ装置１は、織幅方向における糸案内機構５０と筬Ｒとの間に、緯入れされた扁平糸Ｙを切断するための切断装置２６を備えている。因みに、図示の切断装置２６は、扁平糸Ｙを挟持しつつ切断する形式の切断装置であって、固定刃２６ａ１及び可動刃２６ａ２を含む切断機構と、固定挟持体２６ｂ１及び可動挟持体２６ｂ２を含む挟持機構とを備えている。そして、その切断装置２６は、可動刃２６ａ２及び可動挟持体２６ｂ２が一体的に上下方向に変位するように構成されており、その可動刃２６ａ２及び可動挟持体２６ｂ２は、扁平糸Ｙを切断する切断動作時以外では、固定刃２６ａ１及び固定挟持体２６ｂ１に対し上方へ離間した位置に配置される。
【０１０５】
緯入れが終了すると、その終了後から次の緯入れが開始されるまでの所定のタイミングで、切断装置２６において可動刃２６ａ２及び可動挟持体２６ｂ２が駆動され、その切断装置２６の位置において扁平糸Ｙが切断される。それにより、前記給糸手段に連なる扁平糸Ｙは、緯入れされた扁平糸Ｙから切り離される。また、その状態では、前記給糸手段側の扁平糸Ｙの先端部は、固定挟持体２６ｂ１と可動挟持体２６ｂ２とで挟持され、その位置に保持されている。
【０１０６】
その状態で、図６に示すように、流体圧シリンダ５７が作動状態とされ、前記のように保持装置５１における保持部分５１ｈが開放された状態（保持部５１ａ２と保持部５１ｂ２とが離間した状態）とされる。さらに、誘導装置５５において、前記上昇位置に位置している誘導板５５ａ（ブラケット５５ｂ）が前記下降位置へ向けて下降するように変位駆動される。それにより、前記給糸手段側へ連なる扁平糸Ｙの上方に位置する誘導板５５ａが、先ずはその先端縁５５ａ１においてその扁平糸Ｙと係合する。但し、切断装置２６は、そのように誘導板５５ａが扁平糸Ｙと係合する前に、可動挟持体２６ｂ２が上方へ向けて駆動され、固定挟持体２６ｂ１と可動挟持体２６ｂ２とによる扁平糸Ｙの挟持が解放された状態とされる。
【０１０７】
その係合した時点からの誘導板５５ａの更なる下降により、誘導板５５ａは、その先端縁５５ａ１において扁平糸Ｙの表面を撫でつつその扁平糸Ｙを下方へ向けて導く。そして、誘導板５５ａが前記下降位置に達することにより、扁平糸Ｙは、図６に示すようにその先端部が保持装置５１における開放された保持部分５１ｈ内（保持部５１ａ２と保持部５１ｂ２との間）に挿入された状態となる。そして、その状態において、誘導板５５ａが前記上昇位置へ向けて変位駆動されると共に、流体圧シリンダ５７が不作動状態とされる。それにより、保持装置５１においては、圧縮バネ５１ｄのバネ力によって保持部５１ｂ２がベース側の保持部材５１ａ（保持部５１ａ２）側へ変位するように可動側の保持部材５１ｂが回動し、扁平糸Ｙが保持部５１ａ２と保持部５１ｂ２とに挟持されて保持された状態となる。
【０１０８】
そして、その状態では、その扁平糸Ｙは、走行経路Ｐよりも上方に位置する案内部材５３により案内（転向）されてその下方へ向けて延び、走行経路Ｐよりも下方に設けられた両保持部材５１ａ、５ｂによりその先端側の部分が保持された状態となる。すなわち、糸案内機構５０（保持装置５１）においては、扁平糸Ｙは、前記のような緯入れ後における切断装置２６による切断後において、走行経路Ｐを挟んで上下方向に案内された状態とされる。また、その状態では、保持装置５１における両保持部材５１ａ、５１ｂ及び案内部材５３は、前記前後方向に関し、扁平糸Ｙが緯入れされるレピアヘッド１０の走行位置と重複する前記基準位置に位置している。
【０１０９】
なお、緯入れされた扁平糸Ｙが筬Ｒによって筬打ちされ、経糸Ｔによって次の開口が形成されると、次の緯入れのためのレピアヘッド１０の前進駆動が開始される。それに伴い、糸案内機構５０においては、前記のように前記基準位置に位置する両保持部材５１ａ、５１ｂ及び案内部材５３が、前記前後方向において前記退避位置へ向けて変位するように、保持装置５１における支持機構５１ｅが変位駆動される。それにより、図８に示すように、両保持部材５１ａ、５１ｂ及び案内部材５３が、前記前後方向においてレピアヘッド１０の走行位置から織前側に外れた前記退避位置に位置する状態となる。また、そのときにおいて、給糸側のオープナ３１は、前記のような支持レバ３３の駆動により、前記不作用位置に位置する状態となっている。
【０１１０】
そして、前記の前進駆動に伴ってレピアヘッド１０が前記最前進位置に達すると、レピアヘッド１０は、平面視において、両保持部材５１ａ、５１ｂ及び案内部材５３（並びに案内部材５３と両保持部材５１ａ、５１ｂとの間に亘るかたちで上下方向に案内された扁平糸Ｙ）とオープナ３１との間に位置した状態となる。その状態においては、前述のように、レピアヘッド１０における操作レバ１７の第１の係合部１７ａ（第１の係合面１７ａ１）とオープナ３１とが前後方向において対向すると共に、織幅方向においてレピアヘッド１０における糸導入部１１ｄの位置と保持装置５１における保持部分５１ｈの位置とが略一致した状態となっている。
【０１１１】
その上で、先ず、支持レバ３３が揺動駆動されてオープナ３１が前記作用位置へ向けて変位され、図９の上図に示すようにオープナ３１がレピアヘッド１０における操作レバ１７（第１の係合部１７ａの第１の係合面１７ａ１）と係合した状態となる。それにより、レピアヘッド１０においては、前記開放操作が行われ、その把持機構が前述のように開放された状態となる。なお、レピアヘッド１０（ヘッド本体１１）において空間部として形成された糸導入部１１ｄは、前述のようにヤーンキャッチ１３の把持部１３ｂがヘッド本体１１のヘッド部１１ｂに押接された状態（把持機構が閉じられた状態）では、外部に対し閉塞された状態となっている。そして、レピアヘッド１０における把持機構が前記のように開放された状態とされる（前記開放操作が行われる）ことで、糸導入部１１ｄは外部に開放された状態となる。
【０１１２】
次いで、そのようにレピアヘッド１０における把持機構（糸導入部１１ｄ）が開放された状態で、糸案内機構５０における保持装置５１において、両保持部材５１ａ、５１ｂ及び案内部材５３が前記前後方向に関し前記基準位置へ向けて変位するように、支持機構５１ｅが変位駆動される。それに伴い、糸案内機構５０において前記のように上下方向に案内された扁平糸Ｙの部分が、前記前後方向においてレピアヘッド１０と重複する位置まで変位される。それにより、扁平糸Ｙのその部分（正確には、その部分のうちの上下方向においてレピアヘッド１０と同じ高さ位置に位置する部分）が、前記のように開放された状態のレピアヘッド１０における糸導入部１１ｄに導入される。図９は、そのように扁平糸Ｙが糸導入部１１ｄに導入された状態を示している。
【０１１３】
そして、そのように扁平糸Ｙがレピアヘッド１０における糸導入部１１ｄに導入されると、支持レバ３３が前記とは反対の方向へ揺動駆動されてオープナ３１が前記不作用位置へ向けて変位し、再びオープナ３１がレピアヘッド１０における操作レバ１７（第１の係合部１７ａ）から離間した状態とされる。それにより、レピアヘッド１０においては、再びヤーンキャッチ１３の把持部１３ｂがヘッド本体１１のヘッド部１１ｂに押接された状態となり、その把持機構において把持部１３ｂとヘッド部１１ｂとで扁平糸Ｙが把持された状態となる。
【０１１４】
さらに、糸案内機構５０においては、流体圧シリンダ５７が再び作動状態とされ、保持装置５１における保持部分５１ｈが開放された状態（保持部５１ａ２と保持部５１ｂ２とが離間した状態）とされる。それにより、保持装置５１における両保持部材５１ａ、５１ｂによってその先端部が保持されていた扁平糸Ｙは、その保持が解放された状態となる。
【０１１５】
そして、そのように保持装置５１による扁平糸Ｙの保持が解放された後、レピアヘッド１０に対する後退駆動が開始され、前記のように把持機構において扁平糸Ｙを保持した状態のレピアヘッド１０が前記待機位置へ向けた後退を開始する。それにより、扁平糸Ｙは、その先端部が保持装置５１における保持部分５１ｈ内（保持部５１ａ２と保持部５１ｂ２との間）から引き出されると共に、前記給糸手段に連なる部分がレピアヘッド１０の後退に連れだって経糸Ｔの開口内に引き出されて緯入れされる。なお、扁平糸Ｙの先端部が保持部分５１ｈから引き出されると、流体圧シリンダ５７が不作動状態とされ、保持装置５１は、再び扁平糸Ｙを保持する（扁平糸Ｙの先端部が挿入される）前の状態に戻され、次の緯入れに備えた状態となる。
【０１１６】
また、後退駆動によってレピアヘッド１０が前記待機位置の近傍に達すると、レピアヘッド１０においては、操作レバ１７が第２の係合部１７ｂの第２の係合面１７ｂ１が反給糸側のオープナ４１と係合し、把持機構から開放された状態となる。それにより、扁平糸Ｙは、その先端部においてレピアヘッド１０により把持された状態から解放された状態となる。その後、レピアヘッド１０が前記待機位置まで後退することで、１回の緯入れが完了した状態となる。
【０１１７】
以上で説明したように、本実施例では、緯入れ装置１は、給糸側において前記前後方向に関しレピアヘッド１０の走行位置と重複する位置で案内されている扁平糸Ｙとレピアヘッド１０の先端側の部分とがレピアヘッド１０の前記最前進位置へ向けた前進に伴って干渉することの無い態様で、レピアヘッド１０における糸導入部１１ｄに対し扁平糸Ｙを導入することを前提とした構成である。そして、そのような態様での扁平糸Ｙの糸導入部１１ｄへの導入を実現する上で、その緯入れ装置１は、従来の装置とは異なり、扁平糸Ｙの方がレピアヘッド１０の走行位置を避けるように積極的に変位される構成となっている。すなわち、その緯入れ装置１は、そのような扁平糸Ｙの積極的な変位を実現するための糸案内機構５０を備えた構成となっている。
【０１１８】
したがって、そのような緯入れ装置１の構成によれば、従来の装置のように一方の把持部が変位駆動されるようにレピアヘッドを構成する必要がないため、レピアヘッド１０自体の構成をその従来の装置と比べて簡単な構成とすることができる。それにより、レピアヘッド１０の高速での進退駆動を安定して行わせることができると共に、レピアヘッド１０における扁平糸Ｙの把持ミスを可及的に低減することができる。但し、ここで言う従来の装置とは、前述のような、レピアヘッドにおける一対の把持面の一方（一方の把持面）を含む部分（レピアヘッドにおけるその糸導入部よりも先端側の部分である一方の把持部）が変位可能であると共にレピアヘッドの前進に伴ってその一方の把持部が変位駆動されるようにレピアヘッドが構成された装置である。
【０１１９】
また、本実施例の緯入れ装置１は、前述のようにレピアヘッド１０を進退駆動するための部材としてレピアバンド２１が用いられたバンドレピア式の緯入れ装置である。なお、そのようなバンドレピア式の緯入れ装置は、前記駆動部材として棒材が用いられた棒レピア式の緯入れ装置と比べ、その前記駆動部材を含むレピアヘッドを進退駆動するための構成が小型化されているため、より一般的となっている。その上で、その緯入れ装置１は、前述のように、操作レバ１７における第１の係合部１７ａ及び第２の係合部１７ｂがその側面（第１の係合面１７ａ１、第２の係合面１７ｂ２）においてオープナ３１、４１と係合するように構成されている。特に、本実施例では、レピアヘッド１０が前記駆動装置から最も離れた前記最前進位置において操作レバ１７と係合するオープナ３１は、前述のように変位されて第１の係合部１７ａと係合するように構成されている。
【０１２０】
そして、その構成によれば、１回の緯入れ期間中の扁平糸Ｙの緯入れ（経糸Ｔの開口内への挿入）の前に行われる前記開放操作時において、レピアヘッド１０（操作レバ１７）とオープナ３１とが係合されても、それに伴ってレピアベンド２１に座屈が生じることが無い。したがって、その前記開放操作の後に行われる扁平糸Ｙの緯入れにおいて、レピアヘッド１０の姿勢が乱れる等の問題が発生せず、緯入れが安定して行われる。
【０１２１】
また、本実施例の緯入れ装置１におけるレピアヘッド１０は、前記開放操作のために操作される操作レバ１７が、給糸側でオープナ３１と係合する第１の係合部１７ａ及び反給糸側でオープナ４１と係合する第２の係合部１７ｂを有し、且つ、第２の係合部１７ｂがレピアヘッド１０の前記長手方向に関し第１の係合部１７ａよりも前記後端側に位置するように構成されている。その構成によれば、例えば給糸側でオープナと係合する操作レバの部分において反給糸側でもオープナと係合するように構成された場合と比べ、反給糸側において操作レバ１７がオープナ４１と係合するタイミングを早くすることができる。すなわち、その構成によれば、後退するレピアヘッド１０が反給糸側において経糸Ｔの開口の外へ出た時点から前記開放操作が開始される時点までの期間を短くすることができる。それにより、製織される織物における反給糸側の房耳を可及的に短くすることができる。
【０１２２】
さらに、本実施例の緯入れ装置１では、前述のように、反給糸側で行われる前記開放操作における操作レバ１７の揺動量が給糸側で行われる前記開放操作におけるそれよりも小さくなるように、すなわち、反給糸側でのレピアヘッド１０における把持機構の開放量が給糸側でのそれよりも小さくなるように、その緯入れ装置１が構成されている。その構成について、給糸側では、前記開放操作に伴って開放された糸導入部１１ｄに対し扁平糸Ｙを導入することが行われるため、その導入ミスを無くすため、前記開放量は大きい方が好ましい。一方では、反給糸側では、扁平糸Ｙがレピアヘッド１０における把持機構での把持から解放されさえすれば良いため、前記開放量を敢えて大きくする必要は無く、その前記解放量は小さくても良い。そこで、本実施例の緯入れ装置１では、給糸側及び反給糸側において操作レバ１７を揺動させるための構成が前記のように設定されている。
【０１２３】
なお、例えば本実施例の構成において、反給糸側での前記開放量を大きくしようとすると、レピアヘッド１０は、操作レバ１７における第２の係合部が、本実施例における第２の係合部１７ｂと比べ、（反給糸側のオープナと係合していない状態において）前記幅方向においてヘッド本体１１から大きく突出するように構成されることになる。その場合、反給糸側のオープナは、そのように大きく突出した第２の係合部との係合に対応するために、本実施例におけるオープナ４１と比べ、その内側の側面における傾斜面を前記前後方向に大きく且つ織幅方向に長く形成する必要がある。その場合、前記待機位置が前記した本実施例の位置よりも織幅方向において大きく離間した位置に設定されることとなる。その結果、レピアヘッド１０が前記待機位置に達するまでの駆動量を大きくなり、その分だけ１回の緯入れが完了するまでの時間が長くなってしまう。それに対し、前記した本実施例の構成によれば、その駆動量を可及的に小さくして１回の緯入れが完了するまでの時間を最小限に抑えることができる。
【０１２４】
以上では、本発明による緯入れ装置について、その一実施形態（以下、「前記実施例」と言う。）を説明したが、本発明は、前記実施例には限定されず、以下のような他の実施形態（変形例）での実施も可能である。
【０１２５】
（１）糸案内機構について、前記実施例では、その糸案内機構５０は、走行経路Ｐの下方で扁平糸Ｙを保持する保持装置５１を備えると共に、その保持装置５１における扁平糸Ｙを保持するための構成（以下、「保持構成」とも言う。）が前述のようなベース側の保持部材５１ａと可動側の保持部材５１ｂとで構成されている。また、前記実施例の糸案内機構５０は、保持装置５１を保持状態と非保持状態とに積極的に切り換えるための駆動手段としての流体圧シリンダ５７を備えている。
【０１２６】
しかし、糸案内機構における保持装置（前記保持構成）が前記実施例のように構成されている場合であっても、本発明においては、糸案内機構は、前記実施例のような駆動手段（流体圧シリンダ）を備えていなくても良い。すなわち、前記実施例の糸案内機構の構成において、その流体圧シリンダ５７は省略することが可能である。
【０１２７】
詳しくは、前記実施例では、前記保持構成は、保持装置５１におけるベース側の保持部材５１ａの保持部５１ａ２に対し可動側の保持部材５１ｂの保持部５１ｂ２が圧縮バネ５１ｄによって押接されるように構成されている。そして、駆動手段は、その両保持部５１ａ２、５１ｂ２間（保持部分５１ｈ）への扁平糸Ｙの挿入を容易にするために、保持部５１ｂ２が保持部５１ａ２から離間するように保持部５１ｂ２（保持部材５１ｂ）を変位させる装置である。その上で、その保持部５１ａ２、５１ｂ２間への扁平糸Ｙの挿入は、前述のように誘導装置５５の誘導板５５ａを保持部５１ａ２、５１ｂ２間へ下降変位させることによって行われている。但し、そのように誘導板５５ａによって扁平糸Ｙを誘導しつつ保持部５１ａ２、５１ｂ２間へ扁平糸Ｙを挿入するにあたっては、前記のように駆動手段によって保持部分５１ｈを積極的に開放された状態としなくても、誘導板５５ａを下降させて前記のように互いに押接された状態となっている保持部５１ａ２、５１ｂ２間へ誘導板５５ａを押し込むことで、その押し込み力によって保持部５１ｂ２が変位するため、扁平糸Ｙを挿入することは可能である。したがって、糸案内機構において、保持装置のための駆動手段（前記実施例における流体圧シリンダ５７）は省略可能である。
【０１２８】
（２）糸案内機構における保持装置について、前記実施例の保持装置５１は、その前記保持構成が２つの保持部材５１ａ、５１ｂによって扁平糸Ｙを保持するように構成された装置となっている。しかし、本発明の糸案内機構における保持装置は、前記保持構成がそのように機械的に扁平糸Ｙを保持するように構成された装置に限らず、例えば、前記保持構成がサクションパイプのような吸引気流によって扁平糸Ｙを保持するように構成された装置であっても良い。また、保持装置は、その前記保持構成が一対の板バネ等の弾性体を組み合わせて構成された装置であっても良い。なお、これらの場合も、前記（１）で述べたように、その緯入れ装置（糸案内機構）において前記の駆動手段は省略される。
【０１２９】
（３）糸案内機構について、前記実施例では、保持装置５１における前記保持構成（保持部分５１ｈ）が前記前後方向に変位可能に設けられると共に、その前記保持構成を変位させるための駆動機構が糸案内機構に含まれている。その上で、糸保持機構は、レピアヘッド１０の前記最前進位置へ向けた前進時にレピアヘッド１０の先端側の部分と扁平糸Ｙとが干渉しないように、レピアヘッド１０が前記最前進位置に達する前に、前記保持構成及び前記保持構成と協働で扁平糸Ｙの一部を上下方向に案内する案内部材５３であって保持装置５１に支持された案内部材５３を前記前後方向に変位させるように構成されている。すなわち、前記実施例の緯入れ装置は、糸案内機構によって上下方向に案内された扁平糸Ｙの部分が、糸案内機構における前記保持構成及び案内部材の変位により、レピアヘッド１０が前記最前進位置に達する前に積極的に前記前後方向に変位される構成となっている。
【０１３０】
しかし、本発明による緯入れ装置においては、糸案内機構は、前記のように扁平糸Ｙを上下方向に案内する前記保持構成及び案内部材が前記前後方向に変位するように構成されものには限らず、前記保持構成及び案内部材が前記前後方向における所定の位置（前記基準位置）に固定的に配置されたものであっても良い。但し、その場合、レピアヘッドの糸導入部への扁平糸Ｙの導入は、糸案内機構による上下方向における扁平糸Ｙの案内とレピアヘッド１０の前進運動との協働で為される。そのような構成について、具体的には、図１１に示すものがその一例として考えられる。
【０１３１】
図１１に示す例について、そのレピアヘッド１０’は、前記実施例におけるレピアヘッド１０とは異なり、その最先端１１ｇ’が前記幅方向に関し連結部１１ｃ’の範囲内に位置する、すなわち、その最先端１１ｇ’が前記幅方向に関し糸導入部１１ｄ’よりも連結部１１ｃ’側（糸導入部１１ｄ’の前記前後方向における開口部とは反対の側）に位置するように、ヘッド部１１ｂ’が形成されている。また、図示は省略するが、前記前後方向に関し、糸案内機構における前記保持構成及び案内部材は、前記のように前記基準位置に固定的に配置されている。したがって、扁平糸Ｙは、その位置において上下方向に案内された状態とされる。なお、図１１において、Ｙ’は、扁平糸Ｙにおける前記のように上下方向に案内された部分（以下、「案内部分」とも言う。）の一部分であって、その案内部分におけるレピアヘッド１０’と同じ高さ位置に位置する一部分である。
【０１３２】
そして、図１１に示す構成では、前進駆動されることによってレピアヘッド１０’が前記最前進位置の近傍に達すると、（ａ）に示すように、レピアヘッド１０’がそのヘッド部１１ｂ’における最先端１１ｇ’から糸導入部１１ｄ’側へ向けて傾斜する先端の傾斜面において扁平糸Ｙの一部分Ｙ’と係合する。その係合後、レピアヘッド１０’がさらに前進することにより、（ｂ）に示すように、扁平糸Ｙ（一部分Ｙ’）は、レピアヘッド１０’の前記傾斜面に案内されるかたちで、織幅方向においてレピアヘッド１０’に対し相対的に前記後端側へ変位しつつ、前記前後方向（前記幅方向と平行な方向）における織前側へ変位する。
【０１３３】
なお、前記のように糸案内機構における前記保持構成及び案内部材の前記前後方向における位置は固定されている。そのため、扁平糸Ｙにおける案内部分は、前記のようにレピアヘッド１０’と係合する一部分Ｙ’が変位することで、正面から見て、その係合する一部分Ｙ’において屈曲した状態となる。
【０１３４】
その後、さらにレピアヘッド１０’が前進すると、扁平糸Ｙ（一部分Ｙ’）がさらに前記のように変位し、扁平糸Ｙ（一部分Ｙ’）がレピアヘッド１０’におけるヘッド部１１ｂ’の前記幅方向における連結部側とは反対側の側縁を乗り越える。但し、（ｃ）は乗り越える直前を示している。そして、一部分Ｙ’がそのようにヘッド部１１ｂ’の前記側縁を乗り越えると、扁平糸Ｙの案内部分が自身の張力によって前記のように屈曲した状態から元の状態に戻ろうとし、それにより、一部分Ｙ’が前記前後方向における織前から離間する方向へ変位する。その結果として、扁平糸Ｙ（一部分Ｙ’）がレピアヘッド１０’における糸導入部１１ｄ’に導入された状態となる。
【０１３５】
このように、図１１に示す例では、糸案内機構による上下方向における扁平糸Ｙの案内と、レピアヘッド１０’の構成及びその前進運動との協働で、レピアヘッド１０’が前記最前進位置に達する過程で扁平糸Ｙが前記前後方向に変位されると共に、その変位後に扁平糸Ｙがレピアヘッド１０’における糸導入部１１ｄ’に導入されるように緯入れ装置が構成されている。
【０１３６】
なお、緯入れ装置がそのように構成される場合、扁平糸Ｙの案内部分は、前記のようにレピアヘッド１０’におけるヘッド部１１ｂ’の前記傾斜面に案内される過程で屈曲された状態となる。そして、その屈曲に伴い、案内部分の張力が上昇する。そこで、緯入れ装置がそのように構成されている場合には、扁平糸Ｙにおける案内部分の張力が過剰に上昇するのを防止するために、糸案内機構における保持装置は、その保持構成が前記したような吸引気流によって扁平糸Ｙを保持するように構成されている装置であるのが望ましい。
【０１３７】
（４）レピアヘッドにおける糸把持部材及び被操作部材について、前記実施例では、レピアヘッド１０は、ヤーンキャッチ１３を有し、そのヤーンキャッチ１３の把持部１３ｂが糸把持部材に相当すると共に、案内部１３ａと受け部１３ｃとを組み合わせた部分が被操作部材に相当する構成となっている。すなわち、前記実施例の構成では、糸把持部材と被操作部材とが一体的に形成され、それぞれが単一の部材（ヤーンキャッチ１３）の一部となっている。
【０１３８】
しかし、本発明による緯入れ装置においては、レピアヘッドは、糸把持部材と被操作部材とが前記実施例のように一体的に形成されたものには限らず、糸把持部材と被操作部材とがそれぞれ別部材で形成された上で、糸把持部材がヘッド本体内でレピアヘッドの前記長手方向に変位可能に設けられると共に、被連結部材がその糸把持部材を前記長手方向に変位させるように糸把持部材に連結されるかたちで設けられるものであれば良い。
【０１３９】
具体的には、図１２に示す構成がその一例として考えられる。なお、その図１２に示す構成について、レピアヘッドにおけるヘッド本体については、この変形例に関連する部分を除いては基本的には前記実施例のヘッド本体１１と同じ構成であり、同じ参照符号が付してある。
【０１４０】
その図１２の構成について、糸把持部材１８ａは、前記実施例の把持部１３ｂと同じような形に形成された板状の部材である。但し、糸把持部材１８ａは、その一端側の部分のその板厚方向における寸法が他の部分よりも小さくなるように形成されている。すなわち、糸把持部材１８ａは、その一端側に薄肉の部分（薄肉部）１８ａ１を有するように構成れている。そして、糸把持部材１８ａは、その薄肉部１８ａ１において、ヘッド本体１１の連結部１１ｃに対し枢軸１８ｃに連結されるかたちで支持されている。なお、連結部１１ｃには、凹部１１ｃ１が形成されており、糸把持部材１８ａは、薄肉部１８ａ１がその凹部１１ｃ１に収まるようなかたちで設けられている。その構成により、糸把持部材１８ａは、ヘッド本体１１の糸導入部１１ｄ内で、そのヘッド部１１ｂ側を向く側面においてヘッド部１１ｂにおける端面１１ｂ１に当接する位置とその側面が端面１１ｂ１から離間した位置との間で揺動可能となっている。
【０１４１】
また、被操作部材１８ｂは、基本的には、前記実施例のヤーンキャッチ１３における案内部１３ａと受け部１３ｃとを組み合わせた部分と同じように形成されており、案内体１４に案内されるかたちでレピアヘッドの前記長手方向に変位可能に設けられると共に、圧縮バネによってヘッド部１１ｂ側（糸把持部材１８ａ側）へ常時付勢されている。但し、被操作部材１８ｂは、その糸把持部材１８ａ側の端部のその板厚方向における寸法が他の部分よりも小さくなるように形成されている。すなわち、被操作部材１８ｂは、その糸把持部材１８ａ側に薄肉の部分（薄肉部）１８ｂ１を有するように構成されている。そして、被操作部材１８ｂにおいて、その薄肉部１８ｂ１には、その板厚方向に延びるようなかたちで連結ピン１８ｂ２が装着されるようになっている。
【０１４２】
また、糸把持部材１８ａには、被操作部材１８ｂと連結される部分に長孔１８ａ２が形成されている。さらに、糸把持部材１８ａにおいて、その長孔１８ａ２を含む部分も、その板厚方向の寸法が小さい薄肉部として形成されている。その上で、糸把持部材１８ａと被操作部材１８ｂとは、被操作部材１８ｂの薄肉部１８ｂ１に装着された連結ピン１８ｂ２が糸把持部材１８ａの長孔１８ａ２に挿入されることで連結されている。
【０１４３】
その構成によれば、被操作部材１８ｂが圧縮バネによってヘッド部１１ｂ側へ付勢されているため、糸把持部材１８ａは、連結ピン１８ｂ２を介して作用する付勢力により、通常の状態では、その前記側面がヘッド部１１ｂの端面１１ｂ１に押接された状態となっている。操作レバー１７がオープナと係合することによって被操作部材１８ｂが前記後端側へ向けて変位すると、それに伴い、糸把持部材１８ａは、その被操作部材１８ｂと連結された部分が前記後端側は向けて変位するように、枢軸１８ｃを中心に揺動する。それにより、糸把持部材１８ａの前記側面がヘッド部１１ｂの端面１１ｂ１から離間し、糸導入部１１ｄが開放された状態となる。
【０１４４】
なお、この例の場合、前記のように糸把持部材は、被操作部材によって揺動変位される。その場合、その糸把持部材の変位方向は前記長手方向の成分も含んでいるため、糸把持部材の前記側面は前記長手方向においてヘッド部１１ｂの端面１１ｂ１から離間した状態となる。このように、本発明における「前記レピアヘッドの長手方向に変位可能」に設けられた糸把持部材は、前記実施例のように前記長手方向と平行に変位可能に設けられたものに限らず、その変位方向に前記長手方向の成分が含まれるように変位可能に設けられたものであれば良く、この例のように揺動変位するように設けられたものであっても良い。
【０１４５】
（５）レピアヘッドにおける操作レバについて、前記実施例では、操作レバ１７は、前述のようなかたちで全体として略Ｚ形を為すように形成されている。具体的には、その操作レバ１７は、ヘッド本体１１に対し支持される支持部１７ｃに対し、その支持部１７ｃの前記長辺方向における一端側の部分から前記短辺方向に延びる部分（第１の部分）１７ａ及び前記長辺方向における他端側の部分から前記の第１の部分１７ａとは前記短辺方向において反対の側に延びる部分（第２の部分）１７ｂを有し、その第１の部分１７ａが第１の係合部として機能すると共に第２の部分１７ｂが第２の係合部として機能する構成となっている。
【０１４６】
しかし、本発明による緯入れ装置におけるレピアヘッドにおいては、その操作レバは、前記実施例のように構成されたものには限らず、例えば、図１３に示す操作レバ１７’のような、前記で言う第２の部分が省略され、支持部１７ｃ’と前記で言う第１の部分１７ａ’とで構成されたものであっても良い。そして、この構成の場合は、給糸側においては、前記実施例と同様に第１の部分１７ａ’が給糸側のオープナ３１と係合して操作レバ１７’が揺動操作され、反給糸側においても、その第１の部分１７ａ’が反給糸側のオープナ４１と係合して操作レバ１７’が揺動操作される。したがって、この構成の場合は、その第１の部分１７ａ’は、前記実施例と同様に第１の係合部として機能すると共に、第２の係合部としても機能する。
【０１４７】
また、図１３の例もそうであるように、前記実施例では、オープナと係合した際の操作レバの揺動量（把持機構の開放量）は、反給糸側の方が給糸側よりも小さくなるように、その緯入れ装置が構成されている。しかし、本発明の緯入れ装置において、そのように構成されていることは必ずしも必要はなく、反給糸側での前記揺動量が給糸側のそれと同じとなるように緯入れ装置が構成されていても良い。
【０１４８】
（６）操作レバを揺動させるためのオープナについて、前記実施例では、給糸側のオ−プナ３１は、前記最前進位置に達した状態のレピアヘッドの操作レバに対し接近・離間するように設けられており、反給糸側のオープナ４１は、前記前後方向に関しレピアヘッドの操作レバと係合し得る位置で固定的に設けられている。
【０１４９】
しかし、本発明による緯入れ装置においては、給糸側のオ−プナは、前記実施例の反給糸側のオープナと同様に、前記前後方向に関しレピアヘッドの操作レバと係合し得る位置で固定的に設けられていても良い。なお、レピアヘッドが前記実施例のように構成されている場合、操作レバは、固定的に配置されたオープナに対し、その外側の側面であってレピアヘッドの進行方向に対し鋭角を為す側面において係合する。したがって、そのような構成では、レピアヘッドの進行方向と直交する面においてオープナとレピアヘッドにおける操作部とが係合する従来の構成と比べ、その係合の際にレピアヘッドに対し作用する進行方向とは逆向きの力は小さい。それにより、その構成では、レピアバンドに座屈が生じる虞が少なくなる（特に、織機の回転数が低い場合等においてはその虞が殆ど無くなる）ため、給糸側のオープナが前記のように固定的に配置されていても、問題が発生する可能性は低い。
【０１５０】
また、前記実施例では、反給糸側のオープナは前記のように固定的に配置されているが、その反給糸側のオープナも、前記実施例の給糸側のオープナと同様に、前記前後方向においてレピアヘッドの操作レバに対し接近・離間するように設けられていても良い。その上で、適当な駆動機構により、前記待機位置へ向けて後退するレピアヘッドにおける操作レバが織幅方向に関しオープナの存在範囲に達したときに、オープナをレピアヘッド（操作レバ）に向けて変位するように駆動すれば良い。
（７）前記実施例では、緯入れ装置は、レピアヘッドを進退運動させる駆動部材にバンド材が用いられた所謂バンドレピア式の緯入れ装置とされている。しかし、本発明は、前記駆動部材が棒材である棒レピア式の緯入れ装置にも適用可能である。
【０１５１】
また、本発明は、以上で説明したいずれの実施形態にも限定されるものではなく、本発明の趣旨を逸脱しない限りにおいて種々に変更することが可能である。
【符号の説明】
【０１５２】
１        緯入れ装置
１０      レピアヘッド
１０’    レピアヘッド
１１      ヘッド本体
１１ａ    ベース部
１１ｂ    ヘッド部
１１ｂ’  ヘッド部
１１ｂ１  （ヘッド部の）端面
１１ｃ    連結部
１１ｃ’  連結部
１１ｄ    糸導入部（空間部）
１１ｄ’  糸導入部
１１ｈ    蓋部材
１３      ヤーンキャッチ
１３ａ    案内部（被操作部材の一部）
１３ｂ    把持部（糸把持部材）
１３ｂ１  （把持部の）端面
１３ｃ    受け部（被操作部材の一部）
１３ｄ    係合部分（被操作部材の一部）
１５ａ    圧縮バネ
１７      操作レバ
１７ａ    第１の係合部
１７ａ’  （操作レバの）第１の部分
１７ａ１  第１の係合面
１７ｂ    第２の係合部
１７ｂ１  第２の係合面
１７ｃ    支持部
１７ｃ’  支持部
１８ａ    糸把持部材
１８ｂ    被操作部材
２１      レピアバンド
２５      給糸機構
２６      切断装置
２９      バンドガイド
３１      給糸側のオープナ
４１      反給糸側のオープナ
５０      糸案内機構
５１      保持装置
５１ａ    保持部材
５１ａ２  保持部
５１ｂ    保持部材
５１ｂ２  保持部
５１ｄ    圧縮バネ
５１ｅ    支持機構
５１ｅ５  ブロック（案内機構）
５１ｅ６  レール（案内機構）
５１ｈ    保持部分
５３      案内部材
５５      誘導装置
５５ａ    誘導板
５７      流体圧シリンダ
Ｒ        筬
Ｔ        経糸
Ｙ        扁平糸（緯糸）
Ｙ’      （扁平糸の）一部分
【図１】
2019085682.tif 000003
【図２】
2019085682.tif 000004
【図３】
2019085682.tif 000005
【図４】
2019085682.tif 000006
【図５】
2019085682.tif 000007
【図６】
2019085682.tif 000008
【図７】
2019085682.tif 000009
【図８】
2019085682.tif 000010
【図９】
2019085682.tif 000011
【図１０】
2019085682.tif 000012
【図１１】
2019085682.tif 000013
【図１２】
2019085682.tif 000014
【図１３】
2019085682.tif 000015